(57)【要約】  排ガス中の酸素濃度をより安定的に検出できる単気筒４ストロークエンジンユニットが搭載されたビークルを提供することを目的とする。  単一燃焼室用メイン触媒３９は、少なくとも一部がクランク軸線Ｃｒ１よりも前方に位置し、１つの燃焼室２９から放出口３５ｅまでの排気経路において、１つの燃焼室２９から排出された排ガスを最も浄化する。単一燃焼室用上流酸素検出部材３７は、単一燃焼室用メイン触媒３９よりも排ガスの流れ方向の上流に配置される。１つの燃焼室２９から単一燃焼室用上流酸素検出部材３７までの経路長は、単一燃焼室用上流酸素検出部材３７から、単一燃焼室用メイン触媒３９の上流端までの経路長よりも長い。
2016002960.tif 000002
【特許請求の範囲】
【請求項１】
単気筒４ストロークエンジンユニットが搭載されたビークルであって、
前記単気筒４ストロークエンジンユニットは、
前記ビークルの左右方向に延びるクランク軸を含むクランクケース部、および、少なくとも一部が前記クランク軸の中心線よりも前記ビークルの前後方向の前方に配置される１つの燃焼室と、前記１つの燃焼室から排出される排ガスが流れる単一燃焼室用シリンダ排気通路部とが形成されたシリンダ部を有するエンジン本体と、
前記クランク軸の中心線よりも前記ビークルの前後方向の後方に位置して大気に面する放出口を有し、前記単一燃焼室用シリンダ排気通路部の下流端から前記放出口まで排ガスを流し、その一部が前記クランク軸の中心線の上方または下方に配置される単一燃焼室用排気通路部と、
前記単一燃焼室用シリンダ排気通路部内または前記単一燃焼室用排気通路部内に配置され、少なくとも一部が前記クランク軸の中心線よりも前記ビークルの前後方向の前方に位置し、前記１つの燃焼室から前記放出口までの排気経路において、前記１つの燃焼室から排出された排ガスを最も浄化する単一燃焼室用メイン触媒と、
前記単一燃焼室用シリンダ排気通路部または前記単一燃焼室用排気通路部において前記単一燃焼室用メイン触媒よりも排ガスの流れ方向の上流に配置される単一燃焼室用上流酸素検出部材であって、前記１つの燃焼室から前記単一燃焼室用上流酸素検出部材までの経路長が、前記単一燃焼室用上流酸素検出部材から、前記単一燃焼室用メイン触媒の、前記クランク軸の中心線よりも前記前後方向の前方に位置する上流端までの経路長よりも長くなる位置に配置され、排ガス中の酸素濃度を検出する前記単一燃焼室用上流酸素検出部材と、
前記単一燃焼室用上流酸素検出部材の信号を処理する制御装置と、
を備えることを特徴とするビークル。
【請求項２】
前記シリンダ部は、ピストンが配置されるシリンダ孔を有し、
前記ビークルを左右方向から見て、前記単一燃焼室用メイン触媒の少なくとも一部が、前記シリンダ孔の中心線に直交し且つ前記クランク軸の中心線に直交する直線の、前記ビークルの前後方向の前方に位置することを特徴とする請求項１に記載のビークル。
【請求項３】
前記シリンダ部は、ピストンが配置されるシリンダ孔を有し、前記シリンダ孔の中心線が上下方向に延びるように配置され、
前記ビークルを左右方向から見て、前記単一燃焼室用メイン触媒の少なくとも一部が、前記シリンダ孔の中心線の、前記ビークルの前後方向の前方に位置することを特徴とする請求項１または２に記載のビークル。
【請求項４】
前記単一燃焼室用メイン触媒は、前記１つの燃焼室から前記単一燃焼室用メイン触媒の上流端までの経路長が、前記単一燃焼室用メイン触媒の下流端から前記放出口までの経路長よりも短くなる位置に配置されることを特徴とする請求項１〜３のいずれか１項に記載のビークル。
【請求項５】
前記単一燃焼室用排気通路部は、前記エンジン本体の前記単一燃焼室用シリンダ排気通路部の下流端に接続される排気管と、前記排気管に接続されて前記排気管の下流端から排出された排ガスが流入し、排ガスにより生じる音を低減する消音器とを含み、
前記単一燃焼室用メイン触媒は、前記１つの燃焼室から前記単一燃焼室用メイン触媒の上流端までの経路長が、前記単一燃焼室用メイン触媒の下流端から前記排気管の下流端までの経路長よりも短くなる位置に配置されることを特徴とする請求項１〜４のいずれか１項に記載のビークル。
【請求項６】
前記単一燃焼室用排気通路部は、前記エンジン本体の前記単一燃焼室用シリンダ排気通路部の下流端に接続される排気管と、前記排気管に接続されて前記排気管の下流端から排出された排ガスが流入し、排ガスにより生じる音を低減する消音器とを含み、
前記単一燃焼室用メイン触媒は、前記排気管内に配置されることを特徴とする請求項１〜５のいずれか１項に記載のビークル。
【請求項７】
前記単一燃焼室用排気通路部は、前記エンジン本体の前記単一燃焼室用シリンダ排気通路部の下流端に接続される排気管と、前記排気管に接続されて前記排気管の下流端から排出された排ガスが流入し、排ガスにより生じる音を低減する消音器とを含み、
前記単一燃焼室用上流酸素検出部材は、前記排気管に配置されることを特徴とする請求項１〜６のいずれか１項に記載のビークル。
【請求項８】
前記シリンダ部の前記単一燃焼室用シリンダ排気通路部および前記単一燃焼室用排気通路部を含む通路部は、前記単一燃焼室用メイン触媒が配置される触媒配置通路部と、前記触媒配置通路部の上流端に接続される上流通路部とを有しており、
前記上流通路部の少なくとも一部の排ガスの流れ方向に直交する断面の面積は、前記触媒配置通路部の排ガスの流れ方向に直交する断面の面積よりも小さいことを特徴とする請求項１〜７のいずれか１項に記載のビークル。
【請求項９】
前記単一燃焼室用メイン触媒が、前記単一燃焼室用排気通路部内に配置されており、
前記単一燃焼室用排気通路部は、前記単一燃焼室用メイン触媒よりも排ガスの流れ方向の上流の少なくとも一部が、内管と前記内管を覆う少なくとも１つの外管を備えた多重管で構成されることを特徴とする請求項１〜８のいずれか１項に記載のビークル。
【請求項１０】
前記単一燃焼室用排気通路部は、前記単一燃焼室用メイン触媒が配置される触媒配置通路部を有し、
前記単気筒４ストロークエンジンユニットは、
前記触媒配置通路部の外面の少なくとも一部を覆う触媒プロテクターを備えることを特徴とする請求項１〜９のいずれか１項に記載のビークル。
【請求項１１】
前記単気筒４ストロークエンジンユニットは、前記単一燃焼室用シリンダ排気通路部内または前記単一燃焼室用排気通路部内において前記単一燃焼室用メイン触媒よりも排ガスの流れ方向の上流に設けられ、排ガスを浄化する単一燃焼室用上流サブ触媒を備えることを特徴とする請求項１〜１０のいずれか１項に記載のビークル。
【請求項１２】
前記単一燃焼室用上流酸素検出部材は、前記単一燃焼室用上流サブ触媒よりも排ガスの流れ方向の上流に配置されることを特徴とする請求項１１に記載のビークル。
【請求項１３】
前記単気筒４ストロークエンジンユニットは、前記単一燃焼室用シリンダ排気通路部内または前記単一燃焼室用排気通路部内において前記単一燃焼室用メイン触媒よりも排ガスの流れ方向の下流に設けられ、排ガスを浄化する単一燃焼室用下流サブ触媒を備えることを特徴とする請求項１〜１２のいずれか１項に記載のビークル。
【請求項１４】
前記単気筒４ストロークエンジンユニットは、前記単一燃焼室用メイン触媒よりも排ガスの流れ方向の下流であって、前記単一燃焼室用下流サブ触媒よりも排ガスの流れ方向の上流に配置される単一燃焼室用下流酸素検出部材を備え、
前記制御装置は、前記単一燃焼室用下流酸素検出部材の信号を処理することを特徴とする請求項１３に記載のビークル。
【請求項１５】
前記単気筒４ストロークエンジンユニットは、前記単一燃焼室用下流サブ触媒よりも排ガスの流れ方向の下流に配置される単一燃焼室用下流酸素検出部材を備え、
前記制御装置は、前記単一燃焼室用下流酸素検出部材の信号を処理することを特徴とする請求項１３に記載のビークル。
【請求項１６】
前記単気筒４ストロークエンジンユニットは、前記単一燃焼室用シリンダ排気通路部または前記単一燃焼室用排気通路部において前記単一燃焼室用メイン触媒よりも排ガスの流れ方向の下流に配置される単一燃焼室用下流酸素検出部材を備え、
前記制御装置は、前記単一燃焼室用下流酸素検出部材の信号を処理することを特徴とする請求項１〜１５のいずれか１項に記載のビークル。
【請求項１７】
前記制御装置は、前記単一燃焼室用下流酸素検出部材の信号に基づいて前記単一燃焼室用メイン触媒の浄化能力を判定し、
前記単一燃焼室用メイン触媒の浄化能力が所定のレベルまで低下したと前記制御装置によって判定されたときに報知を行う報知手段を備えることを特徴とする請求項１４〜１６のいずれか１項に記載のビークル。
【請求項１８】
前記単気筒４ストロークエンジンユニットは、前記１つの燃焼室に燃料を供給する燃料供給装置を備え、
前記制御装置は、
前記単一燃焼室用上流酸素検出部材の信号と前記単一燃焼室用下流酸素検出部材の信号に基づいて前記燃焼供給装置により前記１つの燃焼室に供給される燃料の量を制御することを特徴とする請求項１４〜１７のいずれか１項に記載のビークル。
【請求項１９】
請求項１に記載の前記ビークルに搭載された前記単気筒４ストロークエンジンユニットであって、
前記ビークルの左右方向に延びるクランク軸を含むクランクケース部、および、少なくとも一部が前記クランク軸の中心線よりも前記ビークルの前後方向の前方に配置される１つの燃焼室と、前記１つの燃焼室から排出される排ガスが流れる単一燃焼室用シリンダ排気通路部とが形成されたシリンダ部を有するエンジン本体と、
前記クランク軸の中心線よりも前記ビークルの前後方向の後方に位置して大気に面する放出口を有し、前記単一燃焼室用シリンダ排気通路部の下流端から前記放出口まで排ガスを流し、その一部が前記クランク軸の中心線の上方または下方に配置される単一燃焼室用排気通路部と、
前記単一燃焼室用シリンダ排気通路部内または前記単一燃焼室用排気通路部内に配置され、少なくとも一部が前記クランク軸の中心線よりも前記ビークルの前後方向の前方に位置し、前記１つの燃焼室から前記放出口までの排気経路において、前記１つの燃焼室から排出された排ガスを最も浄化する単一燃焼室用メイン触媒と、
前記単一燃焼室用シリンダ排気通路部または前記単一燃焼室用排気通路部において前記単一燃焼室用メイン触媒よりも排ガスの流れ方向の上流に配置される単一燃焼室用上流酸素検出部材であって、前記１つの燃焼室から前記単一燃焼室用上流酸素検出部材までの経路長が、前記単一燃焼室用上流酸素検出部材から、前記単一燃焼室用メイン触媒の、前記クランク軸の中心線よりも前記前後方向の前方に位置する上流端までの経路長よりも長くなる位置に配置され、排ガス中の酸素濃度を検出する前記単一燃焼室用上流酸素検出部材と、
前記単一燃焼室用上流酸素検出部材の信号を処理する制御装置と、
を備えることを特徴とする単気筒４ストロークエンジンユニット。
【発明の詳細な説明】
【技術分野】
【０００１】
本発明は、ビークルおよび単気筒４ストロークエンジンユニットに関する。
【背景技術】
【０００２】
従来、単気筒４ストロークエンジンユニットが搭載されたビークルがある。単気筒４ストロークエンジンユニットは、触媒と酸素検出部材を備えている。触媒は、エンジン本体の燃焼室から排出された排ガスを浄化する。酸素検出部材は、燃焼室から排出された排ガス中の酸素濃度を検出する。この酸素検出部材の信号に基づいて、燃焼制御が行われる。具体的には、酸素検出部材の信号に基づいて、燃料噴射量や点火タイミング等が制御される。酸素検出部材の信号に基づいて燃焼制御を行うことで、触媒による排ガスの清浄化を促進できる。【０００３】
単気筒４ストロークエンジンユニットにおいて、酸素検出部材をシリンダヘッドに配置することが提案されている（例えば特許文献１参照）。
【先行技術文献】
【特許文献】
【０００４】
【特許文献１】特開２０１２−１０２６６２号公報
【発明の概要】
【発明が解決しようとする課題】
【０００５】
特許文献１では、酸素検出部材の検出精度を高めるために、酸素検出部材をシリンダヘッドに配置している。酸素検出部材は、検出素子の温度が活性化温度以上となることで酸素濃度を検出できる。酸素検出部材をシリンダヘッドに配置する。それにより、酸素検出部材の検出素子は、燃焼室から排出された直後の高温の排ガスに曝される。そのため、エンジン始動時に酸素検出部材が早期に活性化される。したがって、酸素検出部材の検出精度が高められる。【０００６】
酸素検出部材をシリンダヘッドに配置することで、酸素検出部材の検出精度を高められる。しかしながら、この構成では、燃焼制御の精度が十分ではなかった。燃焼制御の精度を高めるために、排ガス中の酸素濃度をより安定的に検出することが望まれている。【０００７】
本発明の目的は、排ガス中の酸素濃度をより安定的に検出できる単気筒４ストロークエンジンユニットが搭載されたビークルおよび単気筒４ストロークエンジンユニットを提供することである。
【課題を解決するための手段】
【０００８】
燃焼室から排出された排ガスを分析したところ、次のことが判明した。燃焼室から排出された時点の排ガスは、気体の未燃燃料と酸素を含む。排ガスは、排気経路中で未燃燃料の酸化を続けながら移動する。酸化が進むに従って、排ガス中の酸素濃度が減少する。
多気筒４ストロークエンジンユニットでは、複数の燃焼室から異なるタイミングで排ガスが排出される。異なる燃焼室から排出された排ガスは、排気経路中で混合または衝突する場合がある。排ガスが混合または衝突することで、排ガスの流速が低下する。加えて、未燃燃料と酸素が混ざりやすくなる。それによって、未燃燃料の酸化が促進される。これに対して、単気筒４ストロークエンジンユニットでは、１つの燃焼室から排ガスが間欠的に排出される。そのため、排ガスの混合または衝突が生じにくい。したがって、従来の単気筒４ストロークエンジンユニットは多気筒４ストロークエンジンユニットと比べると、未燃燃料が、排気経路のより下流の位置まで酸化されずに到達しやすい。
排気経路において酸化の進度が低い箇所では、排ガス中の酸素濃度が不安定となる。そこで、本願発明者は、触媒と酸素検出部材の配置位置を工夫することで、排ガス中の酸素濃度をより安定的に検出することを思い付いた。【０００９】
本発明のビークルは、単気筒４ストロークエンジンユニットが搭載されたビークルであって、前記単気筒４ストロークエンジンユニットは、前記ビークルの左右方向に延びるクランク軸を含むクランクケース部、および、少なくとも一部が前記クランク軸の中心線よりも前記ビークルの前後方向の前方に配置される１つの燃焼室と、前記１つの燃焼室から排出される排ガスが流れる単一燃焼室用シリンダ排気通路部とが形成されたシリンダ部を有するエンジン本体と、前記クランク軸の中心線よりも前記ビークルの前後方向の後方に位置して大気に面する放出口を有し、前記単一燃焼室用シリンダ排気通路部の下流端から前記放出口まで排ガスを流し、その一部が前記クランク軸の中心線の上方または下方に配置される単一燃焼室用排気通路部と、前記単一燃焼室用シリンダ排気通路部内または前記単一燃焼室用排気通路部内に配置され、少なくとも一部が前記クランク軸の中心線よりも前記ビークルの前後方向の前方に位置し、前記１つの燃焼室から前記放出口までの排気経路において、前記１つの燃焼室から排出された排ガスを最も浄化する単一燃焼室用メイン触媒と、前記単一燃焼室用シリンダ排気通路部または前記単一燃焼室用排気通路部において前記単一燃焼室用メイン触媒よりも排ガスの流れ方向の上流に配置される単一燃焼室用上流酸素検出部材であって、前記１つの燃焼室から前記単一燃焼室用上流酸素検出部材までの経路長が、前記単一燃焼室用上流酸素検出部材から、前記単一燃焼室用メイン触媒の、前記クランク軸の中心線よりも前記前後方向の前方に位置する上流端までの経路長よりも長くなる位置に配置され、排ガス中の酸素濃度を検出する前記単一燃焼室用上流酸素検出部材と、前記単一燃焼室用上流酸素検出部材の信号を処理する制御装置と、を備えることを特徴とする。【００１０】
本発明のビークルに搭載された単気筒４ストロークエンジンユニットは、クランクケース部およびシリンダ部を有するエンジン本体と、単一燃焼室用排気通路部と、単一燃焼室用メイン触媒と、単一燃焼室用上流酸素検出部材とを備える。シリンダ部には、１つの燃焼室が形成されている。さらに、シリンダ部には、１つの燃焼室から排出される排ガスを流す単一燃焼室用シリンダ排気通路部が形成されている。単一燃焼室用排気通路部は、大気に面する放出口を有している。単一燃焼室用排気通路部は、単一燃焼室用シリンダ排気通路部の下流端から放出口まで排ガスを流す。単一燃焼室用メイン触媒は、単一燃焼室用シリンダ排気通路部内または単一燃焼室用排気通路部内に配置される。以下の説明において、前後方向および左右方向とは、ビークルの前後方向および左右方向のことである。クランクケース部は、左右方向に延びるクランク軸を含む。燃焼室は、少なくとも一部がクランク軸の中心線よりも前方に配置される。単一燃焼室用排気通路部の放出口は、クランク軸の中心線よりも後方に位置する。単一燃焼室用排気通路部の一部が、クランク軸の中心線の上方または下方を通るように配置される。そして、単一燃焼室用メイン触媒の少なくとも一部は、クランク軸の中心線よりも前方に位置する。したがって、単一燃焼室用メイン触媒は、燃焼室に比較的近い位置に配置されている。【００１１】
単気筒４ストロークエンジンユニットは、１つの燃焼室から放出口に至る排気経路を有する。単一燃焼室用メイン触媒は、排気経路において、１つの燃焼室から排出された排ガスを最も浄化する。そのため、単一燃焼室用メイン触媒は、排ガスの流れの抵抗となる。それにより、単一燃焼室用メイン触媒よりも上流で、排ガスの流速が低下する。よって、排気経路の燃焼室に近い位置で、排ガスの流速が低下する。【００１２】
また、燃焼室から間欠的に排出された排ガスによって、排気経路内の圧力は脈動する。圧力が脈動するとは、圧力が周期的に変動することである。排気経路には単一燃焼室用メイン触媒が配置されている。そのため、単一燃焼室用メイン触媒によって、圧力脈動の反射が生じる。これにより、単一燃焼室用メイン触媒の上流において、燃焼室から排出された排ガスとこの反射波が衝突する。この衝突によって、排ガス中の未燃燃料と酸素が混ざりやすくなる。よって、排気経路の燃焼室に近い位置で、排ガス中の未燃燃料と酸素が混ざりやすくなる。また、上記衝突によって、単一燃焼室用メイン触媒の上流で、排ガスの流速をより低下させることができる。したがって、排気経路の燃焼室に近い位置で、排ガスの流速をより低下させることができる。【００１３】
上述したように、従来の単気筒４ストロークエンジンユニットは多気筒４ストロークエンジンユニットと比べると、未燃燃料が、排気経路のより下流の位置まで酸化されずに到達しやすい。しかしながら、本発明では、排気経路の燃焼室に近い位置で、排ガス中の未燃燃料と酸素が混ざりやすくなる。それに加えて、排気経路の燃焼室に近い位置で、排ガスの流速を低下させることができる。その結果、排気経路の燃焼室に近い位置で、未燃燃料の酸化を促進させることができる。【００１４】
また、単一燃焼室用上流酸素検出部材は、単一燃焼室用シリンダ排気通路部または単一燃焼室用排気通路部において、単一燃焼室用メイン触媒よりも上流に配置される。１つの燃焼室から単一燃焼室用上流酸素検出部材までの経路長は、単一燃焼室用上流酸素検出部材から単一燃焼室用メイン触媒の上流端までの経路長よりも長い。単一燃焼室用メイン触媒の上流端は、クランク軸の中心線よりも前方に位置する。したがって、単一燃焼室用上流酸素検出部材は、燃焼室から単一燃焼室用メイン触媒までの経路において、燃焼室から遠い位置に配置される。上述したように、本発明では、排気経路の燃焼室に近い位置で、未燃燃料の酸化を促進させることができる。そのため、単一燃焼室用上流酸素検出部材は、酸化が進んだ状態の排ガスを検出対象とすることができる。言い換えると、単一燃焼室用上流酸素検出部材は、酸素濃度が安定した排ガスを検出対象とすることができる。したがって、排ガス中の酸素濃度をより安定的に検出することができる。【００１５】
本発明のビークルにおいて、前記シリンダ部は、ピストンが配置されるシリンダ孔を有し、前記ビークルを左右方向から見て、前記単一燃焼室用メイン触媒の少なくとも一部が、前記シリンダ孔の中心線に直交し且つ前記クランク軸の中心線に直交する直線の、前記ビークルの前後方向の前方に位置することが好ましい。【００１６】
シリンダ孔の中心線は、クランク軸の中心線と燃焼室を通る。燃焼室の少なくとも一部は、クランク軸の中心線より前方に位置する。そのため、シリンダ孔の中心線は、クランク軸から上方、前上方、前方のいずれかの方向に延びる。ここで、シリンダ孔の中心線に直交し且つクランク軸の中心線に直交する直線を、仮に直線Ｌとする。直線Ｌは、クランク軸から前方、前下方、下方のいずれかの方向に延びる。左右方向から見て、単一燃焼室用メイン触媒の少なくとも一部は、直線Ｌの前方に位置する。したがって、単一燃焼室用メイン触媒は、燃焼室により近い位置に配置される。そのため、排気経路の燃焼室により近い位置で、未燃燃料の酸化を促進させることができる。それにより、単一燃焼室用上流酸素検出部材は、より酸化が進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより一層安定的に検出することができる。【００１７】
本発明のビークルにおいて、前記シリンダ部は、ピストンが配置されるシリンダ孔を有し、前記シリンダ孔の中心線が上下方向に延びるように配置され、前記ビークルを左右方向から見て、前記単一燃焼室用メイン触媒の少なくとも一部が、前記シリンダ孔の中心線の、前記ビークルの前後方向の前方に位置することが好ましい。【００１８】
この構成によると、シリンダ孔の中心線は、上下方向に延びている。シリンダ孔の中心線は、クランク軸の中心線を通る。また、左右方向から見て、単一燃焼室用メイン触媒の少なくとも一部は、シリンダ孔の中心線の前方に位置する。したがって、単一燃焼室用メイン触媒を、燃焼室により近い位置に配置することができる。そのため、排気経路の燃焼室に近い位置で、未燃燃料の酸化を促進させることができる。それにより、単一燃焼室用上流酸素検出部材は、酸化が進んだ状態の排ガスを検出対象とすることができる。言い換えると、単一燃焼室用上流酸素検出部材は、酸素濃度が安定した排ガスを検出対象とすることができる。したがって、排ガス中の酸素濃度をより安定的に検出することができる。【００１９】
本発明のビークルにおいて、前記単一燃焼室用メイン触媒は、前記１つの燃焼室から前記単一燃焼室用メイン触媒の上流端までの経路長が、前記単一燃焼室用メイン触媒の下流端から前記放出口までの経路長よりも短くなる位置に配置されることが好ましい。【００２０】
この構成によると、１つの燃焼室から単一燃焼室用メイン触媒の上流端までの経路長は、単一燃焼室用メイン触媒の下流端から放出口までの経路長よりも短い。したがって、単一燃焼室用メイン触媒を、燃焼室により近い位置に配置することができる。そのため、排気経路の燃焼室により近い位置で、未燃燃料の酸化を促進させることができる。それにより、単一燃焼室用上流酸素検出部材は、より酸化が進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより一層安定的に検出することができる。【００２１】
本発明のビークルにおいて、前記単一燃焼室用排気通路部は、前記エンジン本体の前記単一燃焼室用シリンダ排気通路部の下流端に接続される排気管と、前記排気管に接続されて前記排気管の下流端から排出された排ガスが流入し、排ガスにより生じる音を低減する消音器とを含み、前記単一燃焼室用メイン触媒は、前記１つの燃焼室から前記単一燃焼室用メイン触媒の上流端までの経路長が、前記単一燃焼室用メイン触媒の下流端から前記排気管の下流端までの経路長よりも短くなる位置に配置されることが好ましい。【００２２】
この構成によると、単一燃焼室用排気通路部は、排気管と、消音器とを含む。排気管は、単一燃焼室用シリンダ排気通路部の下流端に接続される。また、消音器は、排気管に接続されて排気管の下流端から排出された排ガスが流入される。１つの燃焼室から単一燃焼室用メイン触媒の上流端までの経路長は、単一燃焼室用メイン触媒の下流端から排気管の下流端までの経路長よりも短い。したがって、単一燃焼室用メイン触媒は、燃焼室により近い位置に配置される。そのため、排気経路の燃焼室により近い位置で、未燃燃料の酸化を促進させることができる。それにより、単一燃焼室用上流酸素検出部材は、より酸化が進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより一層安定的に検出することができる。【００２３】
本発明のビークルにおいて、前記単一燃焼室用排気通路部は、前記エンジン本体の前記単一燃焼室用シリンダ排気通路部の下流端に接続される排気管と、前記排気管に接続されて前記排気管に接続されて前記排気管の下流端から排出された排ガスが流入し、排ガスにより生じる音を低減する消音器とを含み、前記単一燃焼室用メイン触媒は、前記排気管内に配置されることが好ましい。【００２４】
この構成によると、単一燃焼室用排気通路部は、排気管と、消音器とを含む。排気管は、単一燃焼室用シリンダ排気通路部の下流端に接続される。消音器は、前記排気管に接続されて排気管の下流端から排出された排ガスが流入される。単一燃焼室用メイン触媒は、排気管内に配置される。したがって、単一燃焼室用メイン触媒が排気管より下流に配置される場合に比べて、単一燃焼室用メイン触媒は燃焼室に近い位置に配置される。そのため、排気経路の燃焼室により近い位置で、未燃燃料の酸化を促進させることができる。それにより、単一燃焼室用上流酸素検出部材は、酸化が進んだ状態の排ガスを検出対象とすることができる。言い換えると、単一燃焼室用上流酸素検出部材は、酸素濃度が安定した排ガスを検出対象とすることができる。したがって、排ガス中の酸素濃度をより安定的に検出することができる。【００２５】
本発明のビークルにおいて、前記単一燃焼室用排気通路部は、前記エンジン本体の前記単一燃焼室用シリンダ排気通路部の下流端に接続される排気管と、前記排気管に接続されて前記排気管の下流端から排出された排ガスが流入し、排ガスにより生じる音を低減する消音器とを含み、前記単一燃焼室用上流酸素検出部材は、前記排気管に配置されることが好ましい。【００２６】
この構成によると、単一燃焼室用排気通路部は、排気管と、消音器とを含む。排気管は、単一燃焼室用シリンダ排気通路部の下流端に接続される。消音器は、排気管に接続されて排気管の下流端から排出された排ガスが流入される。単一燃焼室用上流酸素検出部材は、排気管に配置される。したがって、単一燃焼室用上流酸素検出部材が単一燃焼室用シリンダ排気通路部に配置される場合に比べて、単一燃焼室用上流酸素検出部材は燃焼室からより遠い位置に配置される。そのため、単一燃焼室用上流酸素検出部材は、より酸化が進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより安定的に検出することができる。【００２７】
本発明のビークルにおいて、前記シリンダ部の前記単一燃焼室用シリンダ排気通路部および前記単一燃焼室用排気通路部を含む通路部は、前記単一燃焼室用メイン触媒が配置される触媒配置通路部と、前記触媒配置通路部の上流端に接続される上流通路部とを有しており、前記上流通路部の少なくとも一部の排ガスの流れ方向に直交する断面の面積は、前記触媒配置通路部の排ガスの流れ方向に直交する断面の面積よりも小さいことが好ましい。【００２８】
この構成によると、単一燃焼室用シリンダ排気通路部および単一燃焼室用排気通路部を含む通路部は、触媒配置通路部と、上流通路部とを有する。触媒配置通路部は、単一燃焼室用メイン触媒が配置される。上流通路部は、触媒配置通路部の上流端に接続される。触媒配置通路部の排ガスの流れ方向に直交する断面の面積を仮にＳａとする。上流通路部の少なくとも一部の排ガスの流れ方向に直交する断面の面積は、Ｓａよりも小さい。これにより、単一燃焼室用メイン触媒の上流において、排気経路の断面積が変化する。そのため、排ガスの流れに変化を生じさせることができる。よって、未燃燃料と酸素が混ざりやすくなる。したがって、単一燃焼室用メイン触媒の上流で、未燃燃料の酸化が促進される。それにより、単一燃焼室用上流酸素検出部材は、より酸化が進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより一層安定的に検出することができる。【００２９】
本発明のビークルにおいて、前記単一燃焼室用メイン触媒が、前記単一燃焼室用排気通路部内に配置されており、前記単一燃焼室用排気通路部は、前記単一燃焼室用メイン触媒よりも排ガスの流れ方向の上流の少なくとも一部が、内管と前記内管を覆う少なくとも１つの外管を備えた多重管で構成されることが好ましい。【００３０】
この構成によると、単一燃焼室用排気通路部は、単一燃焼室用メイン触媒よりも上流の少なくとも一部が、二重管で構成されている。二重管は、内管と、内管を覆う外管とを備えている。二重管を設けることで、排ガスの温度が低下するのを抑制できる。それにより、エンジン始動時に、単一燃焼室用上流酸素検出部材をより早期に活性化温度まで上昇させることができる。したがって、排ガス中の酸素濃度をより安定的に検出することができる。【００３１】
本発明のビークルにおいて、前記単一燃焼室用排気通路部は、前記単一燃焼室用メイン触媒が配置される触媒配置通路部を有し、前記単気筒４ストロークエンジンユニットは、前記触媒配置通路部の外面の少なくとも一部を覆う触媒プロテクターを備えることが好ましい。【００３２】
この構成によると、単一燃焼室用排気通路部は、触媒配置通路部を有する。触媒配置通路部は、単一燃焼室用メイン触媒が配置される。触媒配置通路部の外面の少なくとも一部は、触媒プロテクターで覆われる。触媒プロテクターを設けることで、触媒配置通路部および単一燃焼室用メイン触媒を保護できる。さらに、触媒プロテクターを設けることで、外観性を向上できる。【００３３】
本発明のビークルにおいて、前記単気筒４ストロークエンジンユニットは、前記単一燃焼室用シリンダ排気通路部内または前記単一燃焼室用排気通路部内において前記単一燃焼室用メイン触媒よりも排ガスの流れ方向の上流に設けられ、排ガスを浄化する単一燃焼室用上流サブ触媒を備えることが好ましい。【００３４】
この構成によると、単一燃焼室用シリンダ排気通路部内または単一燃焼室用排気通路部内に、単一燃焼室用上流サブ触媒が設けられる。単一燃焼室用上流サブ触媒は、単一燃焼室用メイン触媒よりも上流に設けられる。単一燃焼室用上流サブ触媒は、排ガスを浄化する。但し、単一燃焼室用上流サブ触媒は、排気経路において１つの燃焼室から排出された排ガスを浄化する寄与度が、単一燃焼室用メイン触媒に比べて低い。単一燃焼室用上流サブ触媒は、多孔構造であってもよく、多孔構造でなくてもよい。多孔構造でない単一燃焼室用上流サブ触媒は、例えば、単一燃焼室用排気通路部の内壁に触媒物質を直接付着させたものでもよい。また、多孔構造でない単一燃焼室用上流サブ触媒は、単一燃焼室用排気通路部の内壁に沿って配置される筒状の基材と、この基材に付着された触媒物質とで構成されていてもよい。【００３５】
以下、単一燃焼室用上流サブ触媒が多孔構造でない場合の効果について説明する。この場合、単一燃焼室用上流サブ触媒は、単一燃焼室用メイン触媒に比べて、排ガスの流れに対する抵抗が小さい。また、この場合、単一燃焼室用上流サブ触媒は、単一燃焼室用メイン触媒に比べて、排ガスによる圧力脈動の反射を生じさせる作用が小さい。そのため、単一燃焼室用上流サブ触媒を設けても、排ガスの流れに大きな影響を与えない。よって、単一燃焼室用メイン触媒と単一燃焼室用上流酸素検出部材の配置によって得られる上述した効果を妨げない。【００３６】
次に、単一燃焼室用上流サブ触媒が多孔構造の場合の効果について説明する。多孔構造の単一燃焼室用上流サブ触媒は、排ガスの流れの抵抗となる。それにより、単一燃焼室用上流サブ触媒の上流で、排ガスの流速を低下させることができる。また、多孔構造の単一燃焼室用上流サブ触媒は、圧力脈動の反射を生じさせる。そのため、単一燃焼室用上流サブ触媒の上流において、燃焼室から排出された排ガスとこの反射波が衝突する。これにより、単一燃焼室用上流サブ触媒の上流において、排ガス中の未燃燃料と酸素が混ざりやすくなる。また、この衝突によって、単一燃焼室用上流サブ触媒の上流において、排ガスの流速をより低下させることができる。
よって、単一燃焼室用メイン触媒の上流において、排ガス中の未燃燃料と酸素が混ざりやすくなる。さらに、単一燃焼室用メイン触媒の上流において、排ガスの流速をより低下させることができる。
したがって、単一燃焼室用上流酸素検出部材は、より酸化が進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより一層安定的に検出することができる。【００３７】
本発明のビークルにおいて、前記単一燃焼室用上流酸素検出部材は、前記単一燃焼室用上流サブ触媒よりも排ガスの流れ方向の上流に配置されることが好ましい。【００３８】
単一燃焼室用上流酸素検出部材は、単一燃焼室用上流サブ触媒よりも上流に配置される。単一燃焼室用上流サブ触媒が多孔構造の場合、上述したように、単一燃焼室用上流サブ触媒の上流において、排ガス中の未燃燃料と酸素が混ざりやすくなる。さらに、単一燃焼室用上流サブ触媒の上流において、排ガスの流速が低下する。そのため、単一燃焼室用上流酸素検出部材は、酸化がより進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより一層安定的に検出することができる。【００３９】
本発明のビークルにおいて、前記単気筒４ストロークエンジンユニットは、前記単一燃焼室用シリンダ排気通路部内または前記単一燃焼室用排気通路部内において前記単一燃焼室用メイン触媒よりも排ガスの流れ方向の下流に設けられ、排ガスを浄化する単一燃焼室用下流サブ触媒を備えることが好ましい。【００４０】
この構成によると、単一燃焼室用シリンダ排気通路部内または単一燃焼室用排気通路部内に、単一燃焼室用下流サブ触媒が設けられる。単一燃焼室用下流サブ触媒は、単一燃焼室用メイン触媒よりも下流に設けられる。単一燃焼室用下流サブ触媒は、排ガスを浄化する。但し、単一燃焼室用下流サブ触媒は、排気経路において１つの燃焼室から排出された排ガスを浄化する寄与度が、単一燃焼室用メイン触媒に比べて低い。単一燃焼室用下流サブ触媒は、多孔構造であってもよく、多孔構造でなくてもよい。多孔構造でない単一燃焼室用下流サブ触媒は、例えば、単一燃焼室用排気通路部の内壁に触媒物質を直接付着させたものでもよい。また、多孔構造でない単一燃焼室用下流サブ触媒は、例えば、単一燃焼室用排気通路部の内壁に沿って配置される筒状の基材と、この基材に付着された触媒物質とで構成されていてもよい。【００４１】
以下、単一燃焼室用下流サブ触媒が多孔構造でない場合の効果について説明する。この場合、単一燃焼室用下流サブ触媒は、単一燃焼室用メイン触媒に比べて、排ガスの流れに対する抵抗が小さい。また、この場合、単一燃焼室用下流サブ触媒は、単一燃焼室用メイン触媒に比べて、排ガスによる圧力脈動の反射を生じさせる作用が小さい。そのため、単一燃焼室用下流サブ触媒を設けても、排ガスの流れに大きな影響を与えない。よって、単一燃焼室用メイン触媒と単一燃焼室用上流酸素検出部材の配置によって得られる上述した効果を妨げない。【００４２】
次に、単一燃焼室用下流サブ触媒が多孔構造の場合の効果について説明する。多孔構造の単一燃焼室用下流サブ触媒は、排ガスの流れの抵抗となる。それにより、単一燃焼室用下流サブ触媒の上流で、排ガスの流速を低下させることができる。また、多孔構造の単一燃焼室用下流サブ触媒は、圧力脈動の反射を生じさせる。そのため、単一燃焼室用下流サブ触媒の上流において、燃焼室から排出された排ガスとこの反射波が衝突する。これにより、単一燃焼室用下流サブ触媒の上流において、排ガス中の未燃燃料と酸素が混ざりやすくなる。また、この衝突によって、単一燃焼室用下流サブ触媒の上流において、排ガスの流速をより低下させることができる。
単一燃焼室用上流酸素検出部材は、単一燃焼室用下流サブ触媒より上流に配置される。したがって、単一燃焼室用上流酸素検出部材は、より酸化が進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより一層安定的に検出することができる。【００４３】
本発明のビークルにおいて、前記単気筒４ストロークエンジンユニットは、前記単一燃焼室用メイン触媒よりも排ガスの流れ方向の下流であって、前記単一燃焼室用下流サブ触媒よりも排ガスの流れ方向の上流に配置される単一燃焼室用下流酸素検出部材を備え、前記制御装置は、前記単一燃焼室用下流酸素検出部材の信号を処理することが好ましい。【００４４】
本発明のビークルにおいて、前記単気筒４ストロークエンジンユニットは、前記単一燃焼室用下流サブ触媒よりも排ガスの流れ方向の下流に配置される単一燃焼室用下流酸素検出部材を備え、前記制御装置は、前記単一燃焼室用下流酸素検出部材の信号を処理することが好ましい。【００４５】
本発明のビークルにおいて、前記単気筒４ストロークエンジンユニットは、前記単一燃焼室用シリンダ排気通路部または前記単一燃焼室用排気通路部において前記単一燃焼室用メイン触媒よりも排ガスの流れ方向の下流に配置される単一燃焼室用下流酸素検出部材を備え、前記制御装置は、前記単一燃焼室用下流酸素検出部材の信号を処理することが好ましい。【００４６】
本発明のビークルにおいて、前記制御装置は、前記単一燃焼室用下流酸素検出部材の信号に基づいて前記単一燃焼室用メイン触媒の浄化能力を判定し、前記単一燃焼室用メイン触媒の浄化能力が所定のレベルまで低下したと前記制御装置によって判定されたときに報知を行う報知手段を備えることが好ましい。【００４７】
本発明のビークルにおいて、前記単気筒４ストロークエンジンユニットは、前記１つの燃焼室に燃料を供給する燃料供給装置を備え、前記制御装置は、前記単一燃焼室用上流酸素検出部材の信号と前記単一燃焼室用下流酸素検出部材の信号に基づいて前記燃焼供給装置により前記１つの燃焼室に供給される燃料の量を制御することが好ましい。【００４８】
この構成によると、単気筒４ストロークエンジンユニットは、燃焼室に燃料を供給する燃料供給装置を有する。また、制御装置は、単一燃焼室用上流酸素検出部材の信号と単一燃焼室用下流酸素検出部材の信号に基づいて、燃料室に供給される燃料の量を制御する。単一燃焼室用上流酸素検出部材は、排ガス中の酸素濃度を安定的に検出できる。そのため、燃料の量の制御をより精度よく行うことができる。【００４９】
本発明の単気筒４ストロークエンジンユニットは、上記した本発明の前記ビークルに搭載された前記単気筒４ストロークエンジンユニットであって、前記ビークルの左右方向に延びるクランク軸を含むクランクケース部、および、少なくとも一部が前記クランク軸の中心線よりも前記ビークルの前後方向の前方に配置される１つの燃焼室と、前記１つの燃焼室から排出される排ガスが流れる単一燃焼室用シリンダ排気通路部とが形成されたシリンダ部を有するエンジン本体と、前記クランク軸の中心線よりも前記ビークルの前後方向の後方に位置して大気に面する放出口を有し、前記単一燃焼室用シリンダ排気通路部の下流端から前記放出口まで排ガスを流し、その一部が前記クランク軸の中心線の上方または下方に配置される単一燃焼室用排気通路部と、前記単一燃焼室用シリンダ排気通路部内または前記単一燃焼室用排気通路部内に配置され、少なくとも一部が前記クランク軸の中心線よりも前記ビークルの前後方向の前方に位置し、前記１つの燃焼室から前記放出口までの排気経路において、前記１つの燃焼室から排出された排ガスを最も浄化する単一燃焼室用メイン触媒と、前記単一燃焼室用シリンダ排気通路部または前記単一燃焼室用排気通路部において前記単一燃焼室用メイン触媒よりも排ガスの流れ方向の上流に配置される単一燃焼室用上流酸素検出部材であって、前記１つの燃焼室から前記単一燃焼室用上流酸素検出部材までの経路長が、前記単一燃焼室用上流酸素検出部材から、前記単一燃焼室用メイン触媒の、前記クランク軸の中心線よりも前記前後方向の前方に位置する上流端までの経路長よりも長くなる位置に配置され、排ガス中の酸素濃度を検出する前記単一燃焼室用上流酸素検出部材と、前記単一燃焼室用上流酸素検出部材の信号を処理する制御装置と、を備えることを特徴とする。【００５０】
この構成によると、上述した本発明のビークルと同様の効果が得られる。
【発明の効果】
【００５１】
本発明によれば、単気筒４ストロークエンジンユニットを備えたビークルにおいて、排ガス中の酸素濃度をより安定的に検出できる。
【図面の簡単な説明】
【００５２】
【図１】本発明の実施形態１の自動二輪車の側面図である。
【図２】図１の自動二輪車から車体カバー等を外した状態の側面図である。
【図３】図２の底面図である。
【図４】図１の自動二輪車の制御ブロック図である。
【図５】図１の自動二輪車のエンジン本体と排気系を示す模式図である。
【図６】実施形態１の変形例１の自動二輪車の側面図である。
【図７】図６の自動二輪車のエンジン本体と排気系を示す模式図である。
【図８】本発明の実施形態２の自動二輪車の側面図である。
【図９】図８の底面図である。
【図１０】図８の自動二輪車から車体カバー等を外した状態の側面図である。
【図１１】図１０の底面図である。
【図１２】図８の自動二輪車のエンジン本体と排気系を示す模式図である。
【図１３】本発明の実施形態３の自動二輪車の側面図である。
【図１４】図１３の底面図である。
【図１５】図１３の自動二輪車から車体カバー等を外した状態の側面図である。
【図１６】図１５の底面図である。
【図１７】図１３の自動二輪車のエンジン本体と排気系を示す模式図である。
【図１８】本発明の実施形態４の自動二輪車の側面図である。
【図１９】図１８の底面図である。
【図２０】図１８の自動二輪車から車体カバー等を外した状態の側面図である。
【図２１】図２０の底面図である。
【図２２】図１８の自動二輪車のエンジン本体と排気系を示す模式図である。
【図２３】本発明の他の実施形態の自動二輪車の側面図である。
【図２４】本発明の他の実施形態の自動二輪車のエンジン本体と排気系を示す模式図である。
【図２５】本発明の他の実施形態の自動二輪車に適用される排気管の部分断面図である。
【図２６】本発明の他の実施形態の自動二輪車の側面図の部分拡大図である。
【発明を実施するための形態】
【００５３】
以下、本発明の実施の形態について、図面を参照して詳細に説明する。本発明のビークルを自動二輪車に適用した例について説明する。以下の説明において、前、後、左、右は、それぞれ自動二輪車の乗員から見た前、後、左、右を意味するものとする。但し、自動二輪車は、水平な地面に配置されたものとする。各図面に付した符号Ｆ、Ｒｅ、Ｌ、Ｒは、それぞれ前、後、左、右を表す。
【００５４】
（実施形態１）
［全体構成］
図１は、本発明の実施形態１の自動二輪車の側面図である。図２は、実施形態１の自動二輪車の車体カバー等を外した状態の側面図である。図３は、実施形態１の自動二輪車の車体カバー等を外した状態の底面図である。図５は、実施形態１の自動二輪車のエンジンと排気系を示す模式図である。
【００５５】
実施形態１のビークルは、いわゆるアンダーボーン型の自動二輪車１である。図２に示すように、自動二輪車１は、車体フレーム２を備えている。車体フレーム２は、ヘッドパイプ３と、メインフレーム４と、シートレール５とを備えている。メインフレーム４は、ヘッドパイプ３から後下向きに延びている。シートレール５は、メインフレーム４の中途部から後上向きに延びている。
【００５６】
ヘッドパイプ３にはステアリングシャフトが回転可能に挿入されている。ステアリングシャフトの上部には、ハンドル７（図１を参照）が設けられている。ハンドル７の近傍には、表示装置（図示せず）が配置されている。表示装置には、車速、エンジン回転速度、各種の警告などが表示される。
【００５７】
ステアリングシャフトの下部には、左右一対のフロントフォーク６が支持されている。フロントフォーク６の下端部には、車軸８ａが固定されている。この車軸８ａには、前輪８が回転可能に取り付けられている。前輪８の上方および後方にはフェンダ１０が設けられている。
【００５８】
シートレール５には、シート９（図１を参照）が支持されている。図２に示すように、シートレール５には、左右一対のリアクッションユニット１３の上端部が連結されている。リアクッションユニット１３の下端部は、左右一対のリアアーム１４の後部に支持されている。リアアーム１４の前部は、ピボット軸１４ａを介して車体フレーム２に連結されている。リアアーム１４は、ピボット軸１４ａを中心として上下に揺動可能である。リアアーム１４の後部には、後輪１５が支持されている。
【００５９】
図２に示すように、メインフレーム４の下方には、エンジン本体２０が配置されている。エンジン本体２０は、車体フレーム２に支持されている。具体的には、メインフレーム４に設けられたブラケット４ａに対して、エンジン本体２０の上部が、ボルト４ｂによって固定されている。より詳細には、エンジン本体２０の後述するクランクケース部２１の上前部がブラケット４ａに固定されている。また、エンジン本体２０の後部も、車体フレーム２に設けられた他のブラケットに固定されている。メインフレーム４の下方で且つエンジン本体２０の上方には、エアクリーナ３２が配置されている。
【００６０】
図１に示すように、自動二輪車１は、車体フレーム２等を覆う車体カバー１１を有する。車体カバー１１は、メインカバー１６と、フロントカバー１７とを有する。フロントカバー１７は、ヘッドパイプ３の前方に配置される。メインカバー１６は、ヘッドパイプ３の後方に配置される。メインカバー１６は、メインフレーム４とシートレール５を覆っている。メインカバー１６とフロントカバー１７は、エンジン本体２０の前部の左方および右方を覆っている。フロントカバー１７は、エアクリーナ３２の左方および右方を覆っている。
【００６１】
メインフレーム４および車体カバー１１は、シート９とヘッドパイプ３との間の部分が低くなっている。これにより、アンダーボーン型の自動二輪車１は、車両左右方向から見て、ヘッドパイプ３の後方かつシート９の前方かつメインフレーム４の上方に、凹部１２が形成されている。この凹部１２によって、乗員は車体を跨ぎやすくなっている。
【００６２】
自動二輪車１は、単気筒４ストロークエンジンユニット１９を有している。単気筒４ストロークエンジンユニット１９は、エンジン本体２０と、エアクリーナ３２と、吸気管３３と、排気管３４と、消音器３５と、メイン触媒３９（単一燃焼室用メイン触媒）と、上流酸素検出部材３７（単一燃焼室用上流酸素検出部材）とを備えている。詳細は後述するが、メイン触媒３９は、排気管３４内に配置されている。メイン触媒３９は、排気管３４を流れる排ガスを浄化する。上流酸素検出部材３７は、排気管３４のメイン触媒３９より上流に配置されている。上流酸素検出部材３７は、排気管３４を流れる排ガス中の酸素濃度を検出する。
【００６３】
エンジン本体２０は、単気筒の４ストロークエンジンである。図２および図３に示すように、エンジン本体２０は、クランクケース部２１と、シリンダ部２２とを備えている。シリンダ部２２は、クランクケース部２１から前方に延びている。
【００６４】
クランクケース部２１は、クランクケース本体２３と、クランクケース本体２３に収容されたクランク軸２７および変速機構等を有する。以下、クランク軸２７の中心線Ｃｒ１を、クランク軸線Ｃｒ１と称する。クランク軸線Ｃｒ１は、左右方向に延びている。クランクケース本体２３内には潤滑用のオイルが貯蔵されている。かかるオイルはオイルポンプ（図示せず）によって搬送され、エンジン本体２０内を循環している。
【００６５】
シリンダ部２２は、シリンダボディ２４と、シリンダヘッド２５と、ヘッドカバー２６と、これらの内部に収容された部品とを有する。図２に示すように、シリンダボディ２４は、クランクケース本体２３の前部に接続されている。シリンダヘッド２５は、シリンダボディ２４の前部に接続されている。ヘッドカバー２６は、シリンダヘッド２５の前部に接続されている。
【００６６】
図５に示すように、シリンダボディ２４には、シリンダ孔２４ａが形成されている。シリンダ孔２４ａ内には、ピストン２８が往復移動可能に収容されている。ピストン２８はコンロッドを介してクランク軸２７に連結されている。以下、シリンダ孔２４ａの中心線Ｃｙ１を、シリンダ軸線Ｃｙ１と称する。図２に示すように、エンジン本体２０は、シリンダ軸線Ｃｙ１が、前後方向（水平方向）に延びるように配置されている。より詳細には、シリンダ軸線Ｃｙ１のクランクケース部２１からシリンダ部２２に向かう方向は、前上向きである。シリンダ軸線Ｃｙ１の水平方向に対する傾斜角度は、０度以上４５度以下である。
【００６７】
図５に示すように、シリンダ部２２の内部には、１つの燃焼室２９が形成されている。燃焼室２９は、シリンダボディ２４のシリンダ孔２４ａの内面と、シリンダヘッド２５と、ピストン２８とによって形成されている。つまり、燃焼室２９の一部は、シリンダ孔２４ａの内面によって区画されている。燃焼室２９には、点火プラグ（図示せず）の先端部が配置されている。点火プラグは、燃焼室２９内で燃料と空気との混合ガスに点火する。図２に示すように、燃焼室２９は、クランク軸線Ｃｒ１よりも前方に位置する。これは、以下のように言い換えられる。クランク軸線Ｃｒ１を通り、上下方向と平行に延びる直線をＬ１とする。左右方向から見て、燃焼室２９は直線Ｌ１の前方に配置されている。
【００６８】
図５に示すように、シリンダヘッド２５には、シリンダ吸気通路部３０と、シリンダ排気通路部３１（単一燃焼室用シリンダ排気通路部）が形成されている。本明細書において、「通路部」とは、ガスなどが通過する空間（経路）を形成する構造物のことである。シリンダヘッド２５において、燃焼室２９を形成する壁部には、吸気ポート３０ａおよび排気ポート３１ａが形成されている。シリンダ吸気通路部３０は、吸気ポート３０ａからシリンダヘッド２５の外面（上面）に形成された吸入口まで延びている。シリンダ排気通路部３１は、排気ポート３１ａからシリンダヘッド２５の外面（下面）に形成された排出口まで延びている。燃焼室２９に供給される空気は、シリンダ吸気通路部３０内を通過する。燃焼室２９から排出される排ガスは、シリンダ排気通路部３１を通過する。
【００６９】
シリンダ吸気通路部３０には吸気弁Ｖ１が配置されている。シリンダ排気通路部３１には排気弁Ｖ２が配置されている。吸気弁Ｖ１および排気弁Ｖ２は、クランク軸２７と連動する動弁機構（図示せず）によって作動する。吸気ポート３０ａは、吸気弁Ｖ１の運動により開閉される。排気ポート３１ａは、排気弁Ｖ２の運動により開閉される。シリンダ吸気通路部３０の端部（吸入口）には吸気管３３が接続されている。シリンダ排気通路部３１の端部（排出口）には排気管３４が接続されている。シリンダ排気通路部３１の経路長をａ１とする。
【００７０】
シリンダ吸気通路部３０または吸気管３３には、インジェクタ４８（図４を参照）が配置されている。インジェクタ４８は、燃焼室２９に燃料を供給するためのものである。より具体的には、インジェクタ４８は、シリンダ吸気通路部３０または吸気管３３内で燃料を噴射する。なお、インジェクタ４８は、燃焼室２９内に燃料を噴射するように配置されていてもよい。また、吸気管３３内には、スロットルバルブ（図示せず）が配置されている。
【００７１】
図２に示すように、左右方向から見て、吸気管３３は、シリンダヘッド２５の上面から上方に延びている。吸気管３３は、エアクリーナ３２に接続されている。エアクリーナ３２は、エンジン本体２０に供給される空気を浄化する。エアクリーナ３２を通過することによって浄化された空気が、吸気管３３を通じてエンジン本体２０に供給される。
【００７２】
排気系の構成の詳細は後述する。
【００７３】
次に、単気筒４ストロークエンジンユニット１９の制御について説明する。図４は、実施形態１の自動二輪車の制御ブロック図である。
【００７４】
単気筒４ストロークエンジンユニット１９は、図４に示すように、エンジン回転速度センサ４６ａ、スロットル開度センサ４６ｂ（スロットルポジションセンサ）、エンジン温度センサ４６ｃ、吸気圧センサ４６ｄ、吸気温センサ４６ｅを有する。エンジン回転速度センサ４６ａは、クランク軸２７の回転速度、即ち、エンジン回転速度を検出する。スロットル開度センサ４６ｂは、スロットルバルブ（図示せず）の位置を検出することにより、スロットルバルブの開度（以下、スロットル開度という）を検出する。エンジン温度センサ４６ｃは、エンジン本体の温度を検出する。吸気圧センサ４６ｄは、吸気管３３内の圧力（吸気圧）を検出する。吸気温センサ４６ｅは、吸気管３３内の空気の温度（吸気温）を検出する。
【００７５】
単気筒４ストロークエンジンユニット１９は、エンジン本体２０の制御を行う電子制御ユニット（ＥＣＵ：Ｅｌｅｃｔｒｏｎｉｃ Ｃｏｎｔｒｏｌ Ｕｎｉｔ）４５を備えている。電子制御ユニット４５は、本発明の制御装置に相当する。電子制御ユニット４５は、エンジン回転速度センサ４６ａ、エンジン温度センサ４６ｃ、スロットル開度センサ４６ｂ、吸気圧センサ４６ｄ、吸気温センサ４６ｅ、車速センサ等の各種センサと接続されている。また、電子制御ユニット４５は、イグニッションコイル４７、インジェクタ４８、燃料ポンプ４９、表示装置（図示せず）等と接続されている。電子制御ユニット４５は、制御部４５ａと、作動指示部４５ｂとを有する。作動指示部４５ｂは、イグニッション駆動回路４５ｃと、インジェクタ駆動回路４５ｄと、ポンプ駆動回路４５ｅとを備えている。
【００７６】
イグニッション駆動回路４５ｃ、インジェクタ駆動回路４５ｄ、および、ポンプ駆動回路４５ｅは、制御部４５ａからの信号を受けて、イグニッションコイル４７、インジェクタ４８、燃料ポンプ４９をそれぞれ駆動する。イグニッションコイル４７が駆動されると、点火プラグで火花放電が生じて混合ガスが点火される。燃料ポンプ４９は、燃料ホースを介してインジェクタ４８に接続されている。燃料ポンプ４９が駆動されると、燃料タンク（図示せず）内の燃料がインジェクタ４８へ圧送される。
【００７７】
制御部４５ａは、例えばマイクロコンピュータである。制御部４５ａは、上流酸素検出部材３７の信号、エンジン回転速度センサ４６ａ等の信号に基づいて、イグニッション駆動回路４５ｃ、インジェクタ駆動回路４５ｄ、および、ポンプ駆動回路４５ｅを制御する。制御部４５ａは、イグニッション駆動回路４５ｃを制御することで、点火のタイミングを制御する。制御部４５ａは、インジェクタ駆動回路４５ｄおよびポンプ駆動回路４５ｅを制御することで、燃料噴射量を制御する。
【００７８】
燃焼効率と、メイン触媒３９の浄化効率を高めるには、燃焼室２９内の混合気の空燃比は、理論空燃比（ストイキオメトリ）であることが好ましい。制御部４５ａは、必要に応じて、燃料噴射量を増減させる。
【００７９】
以下、制御部４５ａによる燃料噴射量の制御（燃焼制御）の一例について説明する。
制御部４５ａは、まず、エンジン回転速度センサ４６ａ、スロットル開度センサ４６ｂ、エンジン温度センサ４６ｃ、吸気圧センサ４６ｄの信号に基づいて、基本燃料噴射量を算出する。具体的には、スロットル開度およびエンジン回転速度に対して吸入空気量を対応付けたマップと、吸気圧およびエンジン回転速度に対して吸入空気量を対応付けたマップを用いて、吸入空気量を求める。そして、マップから求められた吸入空気量に基づいて、目標空燃比を達成できる基本燃料噴射量を決定する。スロットル開度が小さい場合には、吸気圧およびエンジン回転速度に対して吸入空気量を対応付けたマップを使用する。一方、スロットル開度が大きい場合には、スロットル開度およびエンジン回転速度に対して吸入空気量を対応付けたマップを使用する。
【００８０】
また、制御部４５ａは、上流酸素検出部材３７の信号に基づいて、基本燃料噴射量を補正するためのフィードバック補正値を算出する。具体的には、まず、上流酸素検出部材３７の信号に基づいて、混合気がリーンであるかリッチであるかを判定する。なお、リッチとは、理論空燃比に対して燃料が過剰な状態をいう。リーンとは、理論空燃比に対して空気が過剰な状態をいう。制御部４５ａは、混合気がリーンであると判定すると、次回の燃料噴射量が増えるようにフィードバック補正値を算出する。一方、制御部４５ａは、混合気がリッチであると判定すると、次回の燃料噴射量が減るようにフィードバック補正値を求める。
【００８１】
また、制御部４５ａは、エンジン温度、外気温度、外気圧等に基づいて、基本燃料噴射量を補正するための補正値を算出する。さらに、制御部４５ａは、加速及び減速時の過渡特性に応じた補正値を算出する。
【００８２】
制御部４５ａは、基本燃料噴射量と、フィードバック補正値などの補正値に基づいて、燃料噴射量を算出する。こうして求められた燃料噴射量に基づいて、燃料ポンプ４９およびインジェクタ４８が駆動される。このように、電子制御ユニット４５（制御装置）は、上流酸素検出部材３７の信号を処理する。また、電子制御ユニット４５（制御装置）は、上流酸素検出部材３７の信号に基づいて、燃焼制御を行う。
【００８３】
［排気系の構成］
以下、実施形態１の自動二輪車１の排気系について説明する。本明細書の排気系の説明において、上流とは、排ガスの流れ方向の上流のことである。また、下流とは、排ガスの流れ方向の下流のことである。また、本明細書の排気系の説明において、経路方向とは、排ガスの流れる方向のことである。
【００８４】
上述したように、単気筒４ストロークエンジンユニット１９は、エンジン本体２０と、排気管３４と、消音器３５と、メイン触媒３９と、上流酸素検出部材３７とを備えている。排気通路部３６（単一燃焼室用排気通路部）は、排気管３４と消音器３５によって構成される。消音器３５は、大気に面する放出口３５ｅを有する。排気通路部３６は、シリンダ排気通路部３１の下流端から放出口３５ｅまで排ガスを流す。燃焼室２９から放出口３５ｅに至る経路を、排気経路４１（図５を参照）とする。排気経路４１は、シリンダ排気通路部３１と排気通路部３６とによって形成される。排気経路４１は、排ガスが通過する空間である。
【００８５】
図５に示すように、排気管３４の上流端部は、シリンダ排気通路部３１に接続される。排気管３４の下流端部は、消音器３５に接続される。排気管３４の途中には、触媒ユニット３８が設けられている。排気管３４の触媒ユニット３８より上流の部分を、上流排気管３４ａとする。排気管３４の触媒ユニット３８より下流の部分を下流排気管３４ｂとする。なお、図５では、簡略化のために排気管３４を一直線状に描いているが、排気管３４は一直線状ではない。
【００８６】
図３に示すように、排気管３４は、自動二輪車１の右部に設けられている。図２に示すように、排気管３４の一部は、クランク軸線Ｃｒ１の下方に位置する。排気管３４は、２つの屈曲部を有する。２つの屈曲部のうち上流の屈曲部を、単に、上流の屈曲部という。２つの屈曲部のうち下流の屈曲部を、単に、下流の屈曲部という。上流の屈曲部は、左右方向から見て、排ガスの流れ方向を、上下方向に延びる方向から前後方向に延びる方向に変化させる。より具体的には、屈曲部は、左右方向から見て、排ガスの流れ方向を、下向きから後上向きに変化させる。下流の屈曲部は、左右方向から見て、排ガスの流れ方向を、後上向きから後向きに変化させる。下流の屈曲部より若干下流の部分が、クランク軸線Ｃｒ１の下方に位置する。メイン触媒３９は２つの屈曲部の間に配置されている。
【００８７】
消音器３５には、排気管３４の下流端から排出された排ガスが流入する。消音器３５は、排気管３４に接続されている。消音器３５は、排ガスの脈動波を抑制するように構成されている。それにより、消音器３５は、排ガスによって生じる音（排気音）の音量を低減できる。消音器３５内には、複数の膨張室と、膨張室同士を連通する複数のパイプが設けられている。排気管３４の下流端部は、消音器３５の膨張室内に配置されている。消音器３５の下流端には、大気に面する放出口３５ｅが設けられている。図５に示すように、排気管３４の下流端から放出口３５ｅに至る排気経路の経路長をｅ１とする。なお、消音器３５内の膨張室の経路長は、膨張室の流入口の真ん中から膨張室の流出口の真ん中を最短で結んだ経路の長さである。消音器３５を通過した排ガスは、放出口３５ｅから大気へ放出される。図２に示すように、放出口３５ｅは、クランク軸線Ｃｒ１よりも後方に位置する。
【００８８】
メイン触媒３９は、排気管３４（排気通路部３６）内に配置されている。触媒ユニット３８は、筒状のケーシング４０と、メイン触媒３９とを有する。ケーシング４０の上流端は、上流排気管３４ａに接続されている。ケーシング４０の下流端は、下流排気管３４ｂに接続されている。ケーシング４０は、排気管３４（排気通路部３６）の一部を構成する。メイン触媒３９は、ケーシング４０の内部に固定されている。排ガスは、メイン触媒３９を通過することで浄化される。メイン触媒３９には、燃焼室２９の排気ポート３１ａから排出された全ての排ガスが通過する。メイン触媒３９は、排気経路４１において、燃焼室２９から排出された排ガスを最も浄化する。
【００８９】
メイン触媒３９は、いわゆる三元触媒である。三元触媒とは、排ガスに含まれる炭化水素、一酸化炭素、および窒素酸化物の３物質を酸化または還元することで除去する。三元触媒は、酸化還元触媒の１種である。メイン触媒３９は、基材と、この基材の表面に付着された触媒物質とを有する。触媒物質は、担体と貴金属を有する。担体は、貴金属と基材の間に設けられる。担体は貴金属を担持する。この貴金属が、排ガスを浄化する。貴金属としては、例えば、炭化水素、一酸化炭素、および窒素酸化物をそれぞれ除去する、プラチナ、パラジウム、ロジウムなどが挙げられる。
【００９０】
メイン触媒３９は、多孔構造を有している。多孔構造とは、排気経路４１の経路方向に垂直な断面に多孔が形成されている構造を言う。多孔構造の一例は、ハニカム構造である。メイン触媒３９には、上流排気管３４ａの経路幅より十分に細い複数の孔が形成されている。
【００９１】
メイン触媒３９は、メタル基材触媒であっても、セラミック基材触媒であってもよい。メタル基材触媒とは、基材が金属製の触媒である。セラミック基材触媒とは、基材がセラミック製の触媒である。メタル基材触媒の基材は、例えば、金属製の波板と金属製の平板を交互に重ねて巻回することで形成される。セラミック基材触媒の基材は、例えば、ハニカム構造体である。
【００９２】
図５に示すように、メイン触媒３９の経路方向の長さをｃ１とする。メイン触媒３９の経路方向に垂直な方向の最大幅をｗ１とする。メイン触媒３９の長さｃ１は、メイン触媒３９の最大幅ｗ１より長い。メイン触媒３９の経路方向に直交する断面形状は、例えば円形状である。断面形状は、上下方向長さよりも左右方向長さが長い形状であってもよい。
【００９３】
図５に示すように、ケーシング４０は、触媒配置通路部４０ｂと、上流通路部４０ａと、下流通路部４０ｃとを有する。触媒配置通路部４０ｂには、メイン触媒３９が配置される。経路方向において、触媒配置通路部４０ｂの上流端および下流端は、メイン触媒３９の上流端および下流端とそれぞれ同じ位置である。触媒配置通路部４０ｂの経路方向に直交する断面の面積は、経路方向においてほぼ一定である。上流通路部４０ａは、触媒配置通路部４０ｂの上流端に接続されている。下流通路部４０ｃは、触媒配置通路部４０ｂの上流端に接続されている。
【００９４】
上流通路部４０ａは、少なくとも一部が、テーパー状に形成されている。このテーパー部は、下流に向かって内径が大きくなっている。下流通路部４０ｃは、少なくとも一部が、テーパー状に形成されている。このテーパー部は、下流に向かって内径が小さくなっている。触媒配置通路部４０ｂの経路方向に直交する断面の面積をＳ１とする。上流通路部４０ａの少なくとも一部の経路方向に直交する断面の面積は面積Ｓ１よりも小さい。ここでの上流通路部４０ａの少なくとも一部には、上流通路部４０ａの上流端が含まれる。下流通路部４０ｃの少なくとも一部の経路方向に直交する断面の面積は面積Ｓ１よりも小さい。ここでの下流通路部４０ｃの少なくとも一部には、下流通路部４０ｃの下流端が含まれる。
【００９５】
図２および図３に示すように、メイン触媒３９は、クランク軸線Ｃｒ１よりも前方に配置されている。つまり、左右方向から見て、メイン触媒３９は、直線Ｌ１の前方に配置されている。上述したように、直線Ｌ１は、クランク軸線Ｃｒ１を通り、上下方向と平行に延びる直線である。当然ながら、メイン触媒３９の上流端も、クランク軸線Ｃｒ１よりも前方に配置されている。また、左右方向から見て、メイン触媒３９は、シリンダ軸線Ｃｙ１の前方（下方）に位置する。
【００９６】
図２に示すように、シリンダ軸線Ｃｙ１に直交し且つクランク軸線Ｃｒ１に直交する直線をＬ２とする。左右方向から見て、メイン触媒３９は、直線Ｌ２の前方に位置する。
【００９７】
図５に示すように、排気通路部３６（排気管３４）の上流端からメイン触媒３９の上流端までの経路長をｂ１とする。経路長ｂ１は、上流排気管３４ａと触媒ユニット３８の上流通路部４０ａからなる通路部の経路長である。言い換えると、経路長ｂ１は、シリンダ排気通路部３１の下流端からメイン触媒３９の上流端までの経路長である。また、メイン触媒３９の下流端から排気管３４の下流端までの経路長をｄ１とする。経路長ｄ１は、触媒ユニット３８の下流通路部４０ｃと下流排気管３４ｂからなる通路部の経路長である。燃焼室２９からメイン触媒３９の上流端までの経路長は、ａ１＋ｂ１である。メイン触媒３９の下流端から放出口３５ｅまでの経路長は、ｄ１＋ｅ１である。
【００９８】
メイン触媒３９は、経路長ａ１＋ｂ１が、経路長ｄ１＋ｅ１よりも短くなる位置に配置される。また、メイン触媒３９は、経路長ａ１＋ｂ１が、経路長ｄ１よりも短くなる位置に配置される。さらに、メイン触媒３９は、経路長ｂ１が、経路長ｄ１よりも短くなる位置に配置される。
【００９９】
上流酸素検出部材３７は、排気管３４（排気通路部３６）に配置されている。上流酸素検出部材３７は、メイン触媒３９よりも上流に配置される。上流酸素検出部材３７は、排ガスに含まれる酸素濃度を検出するセンサである。上流酸素検出部材３７は、酸素濃度が所定値より高いか低いかを検出する酸素センサであってもよい。また、上流酸素検出部材３７は、酸素濃度を複数段階またはリニアに表わす検出信号を出力するセンサ（例えばＡ／Ｆセンサ： Air Fuel ratio sensor）であってもよい。上流酸素検出部材３７は、一端部（検出部）が排気管３４内に配置され、他端部が排気管３４の外に配置される。上流酸素検出部材３７の検出部は、高温に加熱されて活性化状態となったときに、酸素濃度を検出できる。上流酸素検出部材３７の検出結果は、電子制御ユニット４５に出力される。
【０１００】
図５に示すように、燃焼室２９から上流酸素検出部材３７までの経路長をｈ１とする。上流酸素検出部材３７からメイン触媒３９の上流端までの経路長をｈ２とする。上流酸素検出部材３７は、経路長ｈ１が経路長ｈ２よりも長くなる位置に配置されている。
【０１０１】
以上、実施形態１の自動二輪車１の構成について説明した。実施形態１の自動二輪車１は以下の特徴を有する。
【０１０２】
上述したように、燃焼室２９の少なくとも一部はクランク軸線Ｃｒ１よりも前方に配置されている。排気通路部３６の放出口３５ｅはクランク軸線Ｃｒ１よりも後方に位置している。排気通路部３６の一部はクランク軸線Ｃｒ１の上方を通るように配置されている。このように構成された単気筒４ストロークエンジンユニット１９において、メイン触媒３９の少なくとも一部は、クランク軸線Ｃｒ１よりも前方に位置している。したがって、メイン触媒３９は、燃焼室２９に比較的近い位置に配置されている。
【０１０３】
メイン触媒３９は、排気経路４１において、１つの燃焼室２９から排出された排ガスを最も浄化する。そのため、メイン触媒３９は、排ガスの流れの抵抗となる。それにより、メイン触媒３９よりも上流で、排ガスの流速が低下する。よって、排気経路４１の燃焼室２９に近い位置で、排ガスの流速が低下する。
【０１０４】
また、燃焼室２９から間欠的に排出された排ガスによって、排気経路４１内の圧力は脈動する。圧力が脈動するとは、圧力が周期的に変動することである。排気経路４１にはメイン触媒３９が配置されている。そのため、メイン触媒３９によって、圧力脈動の反射が生じる。これにより、メイン触媒３９の上流において、燃焼室２９から排出された排ガスとこの反射波が衝突する。この衝突によって、排ガス中の未燃燃料と酸素が混ざりやすくなる。よって、排気経路４１の燃焼室２９に近い位置で、排ガス中の未燃燃料と酸素が混ざりやすくなる。また、上記衝突によって、メイン触媒３９の上流で、排ガスの流速をより低下させることができる。したがって、排気経路４１の燃焼室２９に近い位置で、排ガスの流速をより低下させることができる。
【０１０５】
ここで、燃焼室２９から排出される排ガスについて説明する。燃焼室２９から排出された時点の排ガスは、気体の未燃燃料と酸素を含む。排ガスは、排気経路４１中で未燃燃料の酸化を続けながら移動する。酸化が進むに従って、排ガス中の酸素濃度が減少する。
多気筒４ストロークエンジンユニットでは、複数の燃焼室から異なるタイミングで排ガスが排出される。異なる燃焼室から排出された排ガスは、排気経路中で混合または衝突する場合がある。排ガスが混合または衝突することで、排ガスの流速が低下する。加えて、未燃燃料と酸素が混ざりやすくなる。それによって、未燃燃料の酸化が促進される。これに対して、単気筒４ストロークエンジンユニットでは、１つの燃焼室から排ガスが間欠的に排出される。そのため、排ガスの混合または衝突が生じにくい。したがって、従来の単気筒４ストロークエンジンユニットは多気筒４ストロークエンジンユニットと比べると、未燃燃料が、排気経路のより下流の位置まで酸化されずに到達しやすい。
【０１０６】
しかしながら、本実施形態では、排気経路４１の燃焼室２９に近い位置で、排ガス中の未燃燃料と酸素が混ざりやすくなる。それに加えて、排気経路４１の燃焼室２９に近い位置で、排ガスの流速を低下させることができる。その結果、排気経路４１の燃焼室２９に近い位置で、未燃燃料の酸化を促進させることができる。
【０１０７】
上流酸素検出部材３７は、排気通路部３６において、メイン触媒３９よりも上流に配置される。１つの燃焼室２９から上流酸素検出部材３７までの経路長（ｈ１）は、上流酸素検出部材３７からメイン触媒３９の上流端までの経路長（ｈ２）よりも長い。メイン触媒３９の上流端は、クランク軸線Ｃｒ１よりも前方に位置する。したがって、上流酸素検出部材３７は、燃焼室２９からメイン触媒３９までの経路において、燃焼室２９から遠い位置に配置される。上述したように、本実施形態では、排気経路４１の燃焼室２９に近い位置で、未燃燃料の酸化を促進させることができる。そのため、上流酸素検出部材３７は、酸化が進んだ状態の排ガスを検出対象とすることができる。言い換えると、上流酸素検出部材３７は、酸素濃度が安定した排ガスを検出対象とすることができる。したがって、排ガス中の酸素濃度をより安定的に検出することができる。
【０１０８】
直線Ｌ２は、シリンダ軸線Ｃｙ１に直交し且つクランク軸線Ｃｒ１に直交する直線である。この直線Ｌ２は、クランク軸２７から下方に延びている。左右方向から見て、メイン触媒３９の少なくとも一部は、この直線Ｌ２の前方に位置する。したがって、メイン触媒３９は、燃焼室２９により近い位置に配置される。そのため、排気経路４１の燃焼室２９により近い位置で、未燃燃料の酸化を促進させることができる。それにより、上流酸素検出部材３７は、より酸化が進んだ状態の排ガスを検出対象とすることができる。言い換えると、上流酸素検出部材３７は、酸素濃度がより安定した排ガスを検出対象とすることができる。したがって、排ガス中の酸素濃度をより一層安定的に検出することができる。
【０１０９】
１つの燃焼室２９からメイン触媒３９の上流端までの経路長（ａ１＋ｂ１）は、メイン触媒３９の下流端から放出口３５ｅまでの経路長（ｄ１＋ｅ１）よりも短い。したがって、メイン触媒３９を、燃焼室２９により近い位置に配置することができる。そのため、排気経路４１の燃焼室２９により近い位置で、未燃燃料の酸化を促進させることができる。それにより、上流酸素検出部材３７は、より酸化が進んだ状態の排ガスを検出対象とすることができる。言い換えると、上流酸素検出部材３７は、酸素濃度がより安定した排ガスを検出対象とすることができる。したがって、排ガス中の酸素濃度をより一層安定的に検出することができる。
【０１１０】
１つの燃焼室２９からメイン触媒３９の上流端までの経路長（ａ１＋ｂ１）は、メイン触媒３９の下流端から排気管３４の下流端までの経路長（ｄ１）よりも短い。したがって、メイン触媒３９は、燃焼室２９により近い位置に配置される。そのため、排気経路４１の燃焼室２９により近い位置で、未燃燃料の酸化を促進させることができる。それにより、上流酸素検出部材３７は、より酸化が進んだ状態の排ガスを検出対象とすることができる。言い換えると、上流酸素検出部材３７は、酸素濃度がより安定した排ガスを検出対象とすることができる。したがって、排ガス中の酸素濃度をより一層安定的に検出することができる。
【０１１１】
メイン触媒３９は、排気管３４内に配置される。したがって、メイン触媒３９が、排気管３４より下流に配置される場合に比べて、メイン触媒３９を燃焼室２９に近い位置に配置される。そのため、排気経路４１の燃焼室２９により近い位置で、未燃燃料の酸化を促進させることができる。それにより、上流酸素検出部材３７は、酸化が進んだ状態の排ガスを検出対象とすることができる。言い換えると、上流酸素検出部材３７は、酸素濃度が安定した排ガスを検出対象とすることができる。したがって、排ガス中の酸素濃度をより安定的に検出することができる。
【０１１２】
上流酸素検出部材３７は、排気管３４に配置される。したがって、上流酸素検出部材３７がシリンダ排気通路部３１に配置される場合に比べて、上流酸素検出部材３７は燃焼室２９からより遠い位置に配置される。そのため、上流酸素検出部材３７は、より酸化が進んだ状態の排ガスを検出対象とすることができる。言い換えると、上流酸素検出部材３７は、酸素濃度がより安定した排ガスを検出対象とすることができる。したがって、排ガス中の酸素濃度をより安定的に検出することができる。
【０１１３】
上流通路部４０ａの少なくとも一部の排ガスの流れ方向に直交する断面の面積は、面積Ｓ１よりも小さい。面積Ｓ１は、触媒配置通路部４０ｂの排ガスの流れ方向に直交する断面の面積である。これにより、メイン触媒３９の上流において、排気経路４１の断面積が変化する。そのため、排ガスの流れに変化を生じさせることができる。よって、未燃燃料と酸素が混ざりやすくなる。したがって、メイン触媒３９の上流で、未燃燃料の酸化が促進される。それにより、上流酸素検出部材３７は、より酸化が進んだ状態の排ガスを検出対象とすることができる。言い換えると、上流酸素検出部材３７は、酸素濃度がより安定した排ガスを検出対象とすることができる。したがって、排ガス中の酸素濃度をより一層安定的に検出することができる。
【０１１４】
また、メイン触媒３９が燃焼室に近い位置に配置されることにより、上流酸素検出部材３７を配置可能な経路長が短くなる。したがって、メイン触媒３９と上流酸素検出部材３７とは比較的近い位置に配置される。それにより、上流酸素検出部材３７で検出される酸素濃度は、メイン触媒３９に流入する排ガスの酸素濃度に近くなる。そのため、上流酸素検出部材３７の信号を用いた燃焼制御をより精度よく行うことができる。
【０１１５】
（実施形態１の変形例１）
図６は、実施形態１の変形例１の自動二輪車の側面図である。図７は、実施形態１の変形例１のエンジン本体および排気系を示す模式図である。変形例１において、実施形態１と同一の構成要素については、同一符号を付して、詳細な説明を省略する。
【０１１６】
図６および図７に示すように、上流サブ触媒２００（単一燃焼室用上流サブ触媒）とメイン触媒３９と上流酸素検出部材３７は、排気管２３４に配置されている。排気管２３４は、実施形態１の排気管３４と同様に、シリンダ排気通路部３１（図７を参照）と消音器３５に接続されている。排気管２３４の途中には、触媒ユニット３８が設けられている。図７に示すように、排気管２３４の触媒ユニット３８より上流の部分を、上流排気管２３４ａとする。排気管２３４の触媒ユニット３８より下流の部分を下流排気管２３４ｂとする。なお、図７では、簡略化のために排気管２３４を一直線状に描いているが、排気管２３４は一直線状ではない。
【０１１７】
上流サブ触媒２００は、メイン触媒３９より上流に設けられている。上流サブ触媒２００は、上流排気管２３４ａ（排気管２３４）に設けられている。上流サブ触媒２００は、排気管２３４の内壁に付着された触媒物質だけで構成されていてもよい。この場合、上流サブ触媒２００の触媒物質が付着される基材は、排気管２３４の内壁である。また、上流サブ触媒２００は、排気管２３４の内側に配置される基材を有していてもよい。この場合、上流サブ触媒２００は、基材と触媒物質で構成される。上流サブ触媒２００の基材は、例えば、板状である。板状の基材の経路方向に直交する断面の形状は、Ｓ字状であっても、円形状であっても、Ｃ字状であってもよい。上流サブ触媒２００が基材を有する場合と有さない場合のいずれにおいても、上流サブ触媒２００は多孔構造を有さない。そのため、上流サブ触媒２００は、メイン触媒３９と比較して排ガスによる圧力脈動の反射を生じさせる作用が小さい。また、上流サブ触媒２００は、メイン触媒３９に比べて、排ガスの流れの抵抗が小さい。
【０１１８】
メイン触媒３９は、排気経路４１において、燃焼室２９から排出された排ガスを最も浄化する。つまり、メイン触媒３９は、排気経路４１において、燃焼室２９から排出された排ガスを上流サブ触媒２００よりも浄化する。言い換えると、上流サブ触媒２００は、メイン触媒３９に比べて、排ガスを浄化する寄与度が低い。
【０１１９】
メイン触媒３９と上流サブ触媒２００のそれぞれの浄化の寄与度は、以下の方法で測定できる。測定方法の設明において、メイン触媒３９と上流サブ触媒２００のうち、上流に配置される触媒をフロント触媒と称し、下流に配置される触媒をリア触媒と称する。変形例１では、上流サブ触媒２００がフロント触媒であって、メイン触媒３９がリア触媒である。
【０１２０】
変形例１のエンジンユニットを運転して、暖機状態のときに放出口３５ｅから排出された排ガスに含まれる有害物質の濃度を測定する。排ガスの測定方法は、欧州規制に従った測定方法とする。暖機状態では、メイン触媒３９と上流サブ触媒２００は、高温となって活性化される。そのため、メイン触媒３９と上流サブ触媒２００は、暖機状態のときに、浄化性能を十分に発揮できる。
【０１２１】
次に、試験で用いたエンジンユニットのリア触媒を取り外して、その代わりにリア触媒の基材のみを配置する。この状態のエンジンユニットを、測定用エンジンユニットＡとする。そして、同様に、暖機状態のときに放出口３５ｅから排出された排ガスに含まれる有害物質の濃度を測定する。
【０１２２】
また、この測定用エンジンユニットＡのフロント触媒を取り外して、その代わりにフロント触媒の基材のみを配置する。この状態のエンジンユニットを、測定用エンジンユニットＢとする。そして、同様に、暖機状態のときに放出口３５ｅから排出された排ガスに含まれる有害物質の濃度を測定する。なお、上流サブ触媒２００（フロント触媒）が排気管２３４の内壁に触媒物質を直接付着させた構成の場合、排気管２３４が基材に相当する。このような上流サブ触媒２００の代わりに、上流サブ触媒２００の基材のみを配置するとは、排気管２３４の内壁に触媒物質を付着させないことである。
【０１２３】
測定用エンジンユニットＡは、フロント触媒を有し、リア触媒を有しない。測定用エンジンユニットＢは、フロント触媒とリア触媒を有しない。そのため、測定用エンジンユニットＡの測定結果と、測定用エンジンユニットＢの測定結果の差から、フロント触媒（上流サブ触媒２００）の浄化の寄与度が算出される。また、測定用エンジンユニットＡの測定結果と、変形例１のエンジンユニットの測定結果の差から、リア触媒（メイン触媒３９）の浄化の寄与度が算出される。
【０１２４】
上流サブ触媒２００の浄化能力は、メイン触媒３９の浄化能力より小さくても大きくてもよい。上流サブ触媒２００の浄化能力が、メイン触媒３９の浄化能力より小さいとは、上流サブ触媒２００だけを設けた場合の排ガスの浄化率が、メイン触媒３９だけを設けた場合の排ガスの浄化率より小さいことをいう。
【０１２５】
図６に示すように、メイン触媒３９は、クランク軸線Ｃｒ１よりも前方に配置されている。また、左右方向から見て、メイン触媒３９は、直線Ｌ２の前方に位置する。なお、直線Ｌ２の定義は実施形態１と同じである。つまり、直線Ｌ２は、シリンダ軸線Ｃｙ１に直交し且つクランク軸線Ｃｒ１に直交する直線である。
【０１２６】
図７に示すように、排気管２３４の上流端からメイン触媒３９の上流端までの経路長をｂ２とする。メイン触媒３９の下流端から排気管２３４の下流端までの経路長をｄ２とする。燃焼室２９からメイン触媒３９の上流端までの経路長は、ａ１＋ｂ２である。メイン触媒３９の下流端から放出口３５ｅまでの経路長は、ｄ２＋ｅ１である。
【０１２７】
実施形態１と同様に、メイン触媒３９は、経路長ａ１＋ｂ２が、経路長ｄ２＋ｅ１よりも短くなる位置に配置される。また、実施形態１と同様に、メイン触媒３９は、経路長ａ１＋ｂ２が、経路長ｄ２よりも短くなる位置に配置される。さらに、実施形態１と同様に、メイン触媒３９は、経路長ｂ２が、経路長ｄ２よりも短くなる位置に配置される。
【０１２８】
上流酸素検出部材３７は、排気管２３４に配置されている。上流酸素検出部材３７は、上流サブ触媒２００より上流に配置されている。燃焼室２９から上流酸素検出部材３７までの経路長をｈ３とする。上流酸素検出部材３７からメイン触媒３９の上流端までの経路長をｈ４とする。実施形態１と同様に、上流酸素検出部材３７は、経路長ｈ３が、経路長ｈ４よりも長くなる位置に配置されている。
【０１２９】
変形例１では、メイン触媒３９の上流に上流サブ触媒２００が設けられる。上流サブ触媒２００は、多孔構造ではない。そのため、上流サブ触媒２００は、メイン触媒３９に比べて、排ガスの流れに対する抵抗が小さい。また、上流サブ触媒２００は、メイン触媒３９に比べて、排ガスによる圧力脈動の反射を生じさせる作用が小さい。そのため、上流サブ触媒２００を設けても、排ガスの流れに大きな影響を与えない。よって、メイン触媒３９と上流酸素検出部材３７の配置によって得られる効果を妨げない。
【０１３０】
（実施形態２）
図８は、本発明の実施形態２の自動二輪車の側面図である。図９は、実施形態２の自動二輪車の底面図である。図１０は、実施形態２の自動二輪車の車体カバー等を外した状態の側面図である。図１１は、実施形態２の自動二輪車の車体カバー等を外した状態の底面図である。図１２は、実施形態２の自動二輪車のエンジンと排気系を示す模式図である。
【０１３１】
実施形態２のビークルは、いわゆるストリート型の自動二輪車５０である。図１０に示すように、自動二輪車５０は、車体フレーム５３を備えている。車体フレーム５３は、ヘッドパイプ５３ａと、上メインフレーム５３ｂと、下メインフレーム５３ｃと、シートフレーム５３ｄとを有する。上メインフレーム５３ｂは、ヘッドパイプ５３ａから後下向きに延びた後、下方に湾曲して下向きに延びている。下メインフレーム５３ｃは、上メインフレーム５３ｂの下方に位置する。下メインフレーム５３ｃは、ヘッドパイプ５３ａから後下向きに延びている。シートフレーム５３ｄは、上メインフレーム５３ｂの中途部から後方に延びている。
【０１３２】
ヘッドパイプ５３ａにはステアリングシャフトが回転自在に挿入されている。ステアリングシャフトの上部にはハンドル５５が設けられている。ハンドル５５の近傍には、表示装置（図示せず）が配置されている。表示装置には、車速、エンジン回転速度、各種の警告などが表示される。
【０１３３】
ステアリングシャフトの上下両端部は、ブラケットを介して、左右一対のフロントフォーク５６に連結されている。フロントフォーク５６の下端部には、前輪５７が回転自在に支持されている。
【０１３４】
車体フレーム５３の後部には、左右一対のリアアーム５８の前端部が揺動自在に支持されている。リアアーム５８の後端部には後輪５９が回転自在に支持されている。
【０１３５】
上メインフレーム５３ｂには、燃料タンク５１（図８を参照）が支持されている。また、シートフレーム５３ｄには、シート５２（図８を参照）が支持されている。車体フレーム５３には、エンジン本体６１が支持されている。車体フレーム５３には、エアクリーナ７３（図１０を参照）が支持されている。図１０に示すように、左右方向から見て、エンジン本体６１の上部は、上メインフレーム５３ｂと下メインフレーム５３ｃの間に配置されている。エアクリーナ７３は、エンジン本体６１の後方に配置されている。
【０１３６】
図８に示すように、自動二輪車５０は、車体フレーム５３等を覆う車体カバー５４を有する。車体カバー５４は、エンジン本体６１の上部とエアクリーナ７３を覆っている。
【０１３７】
自動二輪車５０は、単気筒４ストロークエンジンユニット６０を有している。単気筒４ストロークエンジンユニット６０は、エンジン本体６１と、エアクリーナ７３（図１０を参照）と、吸気管７４と、排気管７５と、消音器７６と、メイン触媒１８０（単一燃焼室用メイン触媒）と、上流酸素検出部材７８（単一燃焼室用上流酸素検出部材）を備えている。また、単気筒４ストロークエンジンユニット６０は、実施形態１の電子制御ユニット４５と同様の電子制御ユニットを有する。電子制御ユニットは、エンジン本体６１を制御する。
【０１３８】
エンジン本体６１は、単気筒の４ストロークエンジンである。図１０に示すように、エンジン本体６１は、クランクケース部６２と、シリンダ部６３とを備えている。シリンダ部６３は、クランクケース部６２から前上向きに延びている。
【０１３９】
クランクケース部６２は、クランクケース本体６４と、クランクケース本体６４に収容されたクランク軸６８および変速機構等を有する。クランク軸６８の中心線（クランク軸線）Ｃｒ２は、左右方向に延びている。クランクケース本体６４内には潤滑用のオイルが貯蔵されている。かかるオイルはオイルポンプ（図示せず）によって搬送され、エンジン本体６１内を循環している。
【０１４０】
シリンダ部６３は、シリンダボディ６５と、シリンダヘッド６６と、ヘッドカバー６７と、これらの内部に収容された部品とを有する。図１０に示すように、シリンダボディ６５は、クランクケース本体６４の上部に接続されている。シリンダヘッド６６は、シリンダボディ６５の上部に接続されている。ヘッドカバー６７は、シリンダヘッド６６の上部に接続されている。
【０１４１】
図１２に示すように、シリンダボディ６５には、シリンダ孔６５ａが形成されている。シリンダ孔６５ａ内には、ピストン６９が往復移動可能に収容されている。ピストン６９はコンロッドを介してクランク軸６８に連結されている。以下、シリンダ孔６５ａの中心線Ｃｙ２を、シリンダ軸線Ｃｙ２と称する。図１０に示すように、エンジン本体６１は、シリンダ軸線Ｃｙ２が、上下方向に延びるように配置されている。より詳細には、シリンダ軸線Ｃｙ２のクランクケース部６２からシリンダ部６３に向かう方向は、前上向きである。シリンダ軸線Ｃｙ２の水平方向に対する傾斜角度は、４５度以上９０度以下である。
【０１４２】
図１２に示すように、シリンダ部６３の内部には、１つの燃焼室７０が形成されている。燃焼室７０は、シリンダボディ６５のシリンダ孔６５ａの内面と、シリンダヘッド６６と、ピストン６９とによって形成されている。図１０に示すように、燃焼室７０は、クランク軸線Ｃｒ２よりも前方に位置する。これは、以下のように言い換えられる。クランク軸線Ｃｒ２を通り、上下方向と平行に延びる直線をＬ３とする。左右方向から見て、燃焼室７０は直線Ｌ３の前方に配置されている。
【０１４３】
図１２に示すように、シリンダヘッド６６には、シリンダ吸気通路部７１と、シリンダ排気通路部７２（単一燃焼室用シリンダ排気通路部）が形成されている。シリンダヘッド６６において、燃焼室７０を形成する壁部には、吸気ポート７１ａおよび排気ポート７２ａが形成されている。シリンダ吸気通路部７１は、吸気ポート７１ａからシリンダヘッド６６の外面（後面）に形成された吸入口まで延びている。シリンダ排気通路部７２は、排気ポート７２ａからシリンダヘッド６６の外面（前面）に形成された排出口まで延びている。燃焼室７０に供給される空気は、シリンダ吸気通路部７１内を通過する。燃焼室７０から排出される排ガスは、シリンダ排気通路部７２を通過する。
【０１４４】
シリンダ吸気通路部７１には吸気弁Ｖ３が配置されている。シリンダ排気通路部７２には排気弁Ｖ４が配置されている。吸気ポート７１ａは、吸気弁Ｖ３の運動により開閉される。排気ポート７２ａは、排気弁Ｖ４の運動により開閉される。シリンダ吸気通路部７１の端部（吸入口）には吸気管７４が接続されている。シリンダ排気通路部７２の端部（排出口）には排気管７５が接続されている。シリンダ排気通路部７２の経路長をａ２とする。
【０１４５】
単気筒４ストロークエンジンユニット６０は、実施形態１のエンジン本体２０と同様に、点火プラグ、動弁機構、インジェクタ、スロットルバルブを備えている。また、単気筒４ストロークエンジンユニット６０は、実施形態１と同様に、エンジン回転速度センサ、スロットル開度センサ等の各種センサを備えている。
【０１４６】
上述したように、単気筒４ストロークエンジンユニット６０は、エンジン本体６１と、排気管７５と、消音器７６と、メイン触媒１８０と、上流酸素検出部材７８とを備えている。排気通路部７７（単一燃焼室用排気通路部）は、排気管７５と消音器７６によって、構成される。消音器７６は、大気に面する放出口７６ｅを有する。排気通路部７７は、シリンダ排気通路部７２の下流端から放出口７６ｅまで排ガスを流す。燃焼室７０から放出口７６ｅに至る経路を、排気経路１８２（図１２を参照）とする。排気経路１８２は、シリンダ排気通路部７２と排気通路部７７とによって形成される。排気経路１８２は、排ガスが通過する空間である。
【０１４７】
図１２に示すように、排気管７５の上流端部は、シリンダ排気通路部７２に接続される。排気管７５の下流端部は、消音器７６に接続される。排気管７５の途中には、触媒ユニット７９が設けられている。排気管７５の触媒ユニット７９より上流の部分を、上流排気管７５ａとする。排気管７５の触媒ユニット７９より下流の部分を下流排気管７５ｂとする。なお、図１２では、簡略化のために排気管７５を一直線状に描いているが、排気管７５は一直線状ではない。
【０１４８】
図９および図１１に示すように、排気管７５の大部分は、自動二輪車５０の右部に設けられている。図１０に示すように、排気管７５の一部は、クランク軸線Ｃｒ２の下方に位置する。排気管７５は、２つの屈曲部を有する。２つの屈曲部のうち上流の屈曲部を、単に、上流の屈曲部という。２つの屈曲部のうち下流の屈曲部を、単に、下流の屈曲部という。上流の屈曲部は、左右方向から見て、排ガスの流れ方向を、前後方向に延びる方向から上下方向に延びる方向に変化させる。より具体的には、上流の屈曲部は、左右方向から見て、排ガスの流れ方向を、前下向きから後下向きに変化させる。下流の屈曲部は、左右方向から見て、排ガスの流れ方向を、上下方向に延びる方向から前後方向に延びる方向に変化させる。より具体的には、下流の屈曲部は、左右方向から見て、排ガスの流れ方向を、後下向きから後向きに変化させる。下流の屈曲部より下流の部分が、クランク軸線Ｃｒ２の下方に位置する。メイン触媒１８０はこの２つの屈曲部の間に配置されている。
【０１４９】
消音器７６には、排気管７５の下流端から排出された排ガスが流入する。消音器７６は、排気管７５に接続されている。消音器７６は、排ガスの脈動波を抑制するように構成されている。それにより、消音器７６は、排ガスによって生じる音（排気音）の音量を低減できる。消音器７６内には、複数の膨張室と、膨張室同士を連通する複数のパイプが設けられている。排気管７５の下流端部は、消音器７６の膨張室内に配置されている。消音器７６の下流端には、大気に面する放出口７６ｅが設けられている。図１２に示すように、排気管７５の下流端から放出口７６ｅに至る排気経路の経路長をｅ２とする。消音器７６を通過した排ガスは、放出口７６ｅから大気へ放出される。図１０に示すように、放出口７６ｅは、クランク軸線Ｃｒ２よりも後方に位置する。
【０１５０】
メイン触媒１８０は、排気管７５（排気通路部７７）内に配置されている。触媒ユニット７９は、筒状のケーシング１８１と、メイン触媒１８０とを有する。ケーシング１８１の上流端は、上流排気管７５ａに接続されている。ケーシング１８１の下流端は、下流排気管７５ｂに接続されている。ケーシング１８１は、排気管７５（排気通路部７７）の一部を構成する。メイン触媒１８０は、ケーシング１８１の内部に固定されている。排ガスは、メイン触媒１８０を通過することで浄化される。メイン触媒１８０には、燃焼室７０の排気ポート７２ａから排出された全ての排ガスが通過する。メイン触媒１８０は、排気経路１８２において、燃焼室７０から排出された排ガスを最も浄化する。
【０１５１】
メイン触媒１８０の材質は、実施形態１のメイン触媒３９と同様である。メイン触媒１８０は、多孔構造を有している。メイン触媒１８０には、上流排気管７５ａの経路幅より十分に細い複数の孔が形成されている。図１２に示すように、メイン触媒１８０の経路方向の長さをｃ２とする。メイン触媒１８０の経路方向に垂直な方向の最大幅をｗ２とする。メイン触媒１８０の長さｃ２は、メイン触媒１８０の最大幅ｗ２より長い。
【０１５２】
図１２に示すように、ケーシング１８１は、触媒配置通路部１８１ｂと、上流通路部１８１ａと、下流通路部１８１ｃとを有する。触媒配置通路部１８１ｂには、メイン触媒１８０が配置される。経路方向において、触媒配置通路部１８１ｂの上流端および下流端は、メイン触媒１８０の上流端および下流端とそれぞれ同じ位置である。触媒配置通路部１８１ｂの経路方向に直交する断面の面積はほぼ一定である。上流通路部１８１ａは、触媒配置通路部１８１ｂの上流端に接続されている。下流通路部１８１ｃは、触媒配置通路部１８１ｂの上流端に接続されている。
【０１５３】
上流通路部１８１ａは、少なくとも一部が、テーパー状に形成されている。このテーパー部は、下流に向かって内径が大きくなっている。下流通路部１８１ｃは、少なくとも一部が、テーパー状に形成されている。このテーパー部は、下流に向かって内径が小さくなっている。触媒配置通路部１８１ｂの経路方向に直交する断面の面積をＳ２とする。上流通路部１８１ａの少なくとも一部の経路方向に直交する断面の面積は面積Ｓ２よりも小さい。ここでの上流通路部１８１ａの少なくとも一部には、上流通路部１８１ａの上流端が含まれる。下流通路部１８１ｃの少なくとも一部の経路方向に直交する断面の面積は面積Ｓ２よりも小さい。ここでの下流通路部１８１ｃの少なくとも一部には、下流通路部１８１ｃの下流端が含まれる。
【０１５４】
図１０に示すように、メイン触媒１８０は、クランク軸線Ｃｒ２よりも前方に配置されている。つまり、左右方向から見て、メイン触媒１８０は、直線Ｌ３の前方に配置されている。上述したように、直線Ｌ３は、クランク軸線Ｃｒ２を通り、上下方向と平行に延びる直線である。当然ながら、メイン触媒１８０の上流端も、クランク軸線Ｃｒ２よりも前方に配置されている。また、左右方向から見て、メイン触媒１８０は、シリンダ軸線Ｃｙ２の前方に位置する。
【０１５５】
図１０に示すように、シリンダ軸線Ｃｙ２に直交し且つクランク軸線Ｃｒ２に直交する直線をＬ４とする。左右方向から見て、メイン触媒１８０は、直線Ｌ４の前方に位置する。
【０１５６】
図１２に示すように、排気通路部７７（排気管７５）の上流端からメイン触媒１８０の上流端までの経路長をｂ３とする。経路長ｂ３は、上流排気管７５ａと触媒ユニット７９の上流通路部１８１ａからなる通路部の経路長である。言い換えると、経路長ｂ３は、シリンダ排気通路部７２の下流端からメイン触媒１８０の上流端までの経路長である。また、メイン触媒１８０の下流端から排気管７５の下流端までの経路長をｄ３とする。経路長ｄ３は、触媒ユニット７９の下流通路部１８１ｃと下流排気管７５ｂからなる通路部の経路長である。燃焼室７０からメイン触媒１８０の上流端までの経路長は、ａ２＋ｂ３である。メイン触媒１８０の下流端から放出口７６ｅまでの経路長は、ｄ３＋ｅ２である。
【０１５７】
メイン触媒１８０は、経路長ａ２＋ｂ３が、経路長ｄ３＋ｅ２よりも短くなる位置に配置される。また、メイン触媒１８０は、経路長ａ２＋ｂ３が、経路長ｄ３よりも短くなる位置に配置される。さらに、メイン触媒１８０は、経路長ｂ３が、経路長ｄ３よりも短くなる位置に配置される。
【０１５８】
上流酸素検出部材７８は、排気管７５（排気通路部７７）に配置されている。上流酸素検出部材７８は、メイン触媒１８０よりも上流に配置される。上流酸素検出部材７８は、排ガスに含まれる酸素濃度を検出するセンサである。上流酸素検出部材７８の構造は、実施形態１の上流酸素検出部材と同様である。
【０１５９】
図１２に示すように、燃焼室７０から上流酸素検出部材７８までの経路長をｈ５とする。上流酸素検出部材７８からメイン触媒１８０の上流端までの経路長をｈ６とする。上流酸素検出部材７８は、経路長ｈ５が経路長ｈ６よりも長くなる位置に配置されている。
【０１６０】
以上説明したように、実施形態２の自動二輪車５０は、クランク軸線Ｃｒ２より前方にメイン触媒１８０を有する。それ以外にも実施形態１の自動二輪車１と同様の配置関係を有する。実施形態１と同様の配置関係については、実施形態１で述べた効果と同様の効果を奏する。
【０１６１】
実施形態２において、シリンダ軸線Ｃｙ２は、上下方向に延びている。シリンダ軸線Ｃｙ２は、クランク軸線Ｃｒ２を通る。また、左右方向から見て、メイン触媒１８０の少なくとも一部は、シリンダ軸線Ｃｙ２の前方に位置する。したがって、メイン触媒１８０を、燃焼室７０により近い位置に配置することができる。そのため、排気経路１８２の燃焼室７０に近い位置で、未燃燃料の酸化を促進させることができる。それにより、上流酸素検出部材７８は、酸化が進んだ状態の排ガスを検出対象とすることができる。言い換えると、上流酸素検出部材７８は、酸素濃度が安定した排ガスを検出対象とすることができる。したがって、排ガス中の酸素濃度をより安定的に検出することができる。
【０１６２】
また、実施形態２の自動二輪車５０においても、上述した変形例１の排気系の構成を適用することが可能である。この場合、変形例１と同様の作用が得られる。
【０１６３】
（実施形態３）
図１３は、本発明の実施形態３の自動二輪車の側面図である。図１４は、実施形態３の自動二輪車の底面図である。図１５は、実施形態３の自動二輪車の車体カバー等を外した状態の側面図である。図１６は、実施形態３の自動二輪車の車体カバー等を外した状態の底面図である。図１７は、実施形態３の自動二輪車のエンジンと排気系を示す模式図である。
【０１６４】
実施形態３のビークルは、いわゆるスクータ型の自動二輪車８０である。図１５に示すように、自動二輪車８０は、車体フレーム８１を備えている。車体フレーム８１は、ヘッドパイプ８１ａと、メインフレーム８１ｂと、左右一対のサイドフレーム８１ｃと、左右一対のリアフレーム８１ｄと、左右一対のシートフレーム８１ｅとを備えている。メインフレーム８１ｂは、ヘッドパイプ８１ａから後下向きに延びている。左右一対のサイドフレーム８１ｃは、メインフレーム８１ｂの下端部から後方へ略水平に延びている。左右一対のリアフレーム８１ｄは、サイドフレーム８１ｃの後端部から後上向き延びている。左右一対のシートフレーム８１ｅは、リアフレーム８１ｄの後端部から後方へ略水平に延びている。
【０１６５】
ヘッドパイプ８１ａには、ステアリングシャフトが回転自在に挿入されている。ステアリングシャフトの上部にはハンドル８２が設けられている。ハンドル８２の近傍には、表示装置（図示せず）が配置されている。表示装置には、車速、エンジン回転速度、各種の警告などが表示される。
【０１６６】
ステアリングシャフトの下部には、左右一対のフロントフォーク８３が支持されている。フロントフォーク８３の下端部には前輪８４が回転自在に支持されている。
【０１６７】
左右一対のサイドフレーム８１ｃには足載せ板８５（図１３を参照）が取り付けられている。この足載せ板８５は、後述するシート８６に着座した乗員が足を置く場所である。
【０１６８】
シートフレーム８１ｅには、シート８６（図１３を参照）が支持されている。シート８６は、車両前後方向において車体フレーム８１の中間部から後端部にかけて延びている。
【０１６９】
シート８６の下方には、空間Ｇ１（図１５を参照）が形成されている。この空間Ｇ１には収納ボックス（図示せず）が配置されている。収納ボックスは、上部が開放された箱型に形成されている。シート８６は、収納ボックスの上面の開口を開閉するための蓋としての機能を兼ね備えている。収納ボックスは、左右両シートフレーム８１ｅの間に配置される。収納ボックスは、リアフレーム８１ｄおよびシートフレーム８１ｅに支持される。
【０１７０】
図１３に示すように、自動二輪車８０は、車体フレーム８１等を覆う車体カバー８７を有する。車体カバー８７は、フロントカバー８７ａと、レッグシールド８７ｂと、メインカバー８７ｃと、アンダーカバー８７ｄを有する。フロントカバー８７ａは、ヘッドパイプ８１ａの前方に配置される。レッグシールド８７ｂは、ヘッドパイプ８１ａの後方に配置される。フロントカバー８７ａとレッグシールド８７ｂは、ヘッドパイプ８１ａとメインフレーム８１ｂを覆っている。メインカバー８７ｃは、足載せ板８５の後部から上方に立ち上がった形態である。メインカバー８７ｃは、収納ボックスの略全体を覆っている。アンダーカバー８７ｄは、フロントカバー８７ａ、レッグシールド８７ｂ、およびメインカバー８７ｃの下方に配置される。アンダーカバー８７ｄは、後述するエンジン本体９４の前上部を、前方および左右両方から覆っている。
【０１７１】
車体フレーム８１には、ユニットスイングタイプの単気筒４ストロークエンジンユニット９３が取り付けられている。単気筒４ストロークエンジンユニット９３は、エンジン本体９４と、動力伝達部９５（図１４および図１６参照）を有する。動力伝達部９５は、エンジン本体９４の後部に接続されている。動力伝達部９５は、エンジン本体９４の左方に配置されている。動力伝達部９５には変速機が収容されている。動力伝達部９５は、後輪８８を回転可能に支持している。
【０１７２】
エンジン本体９４と動力伝達部９５は、一体的に、車体フレーム８１に対して揺動可能となっている。具体的には、図１５および図１６に示すように、エンジン本体９４の下部の左右両端部には、右リンク部材９０Ｒと左リンク部材９０Ｌが接続されている。右リンク部材９０Ｒと左リンク部材９０Ｌは、エンジン本体９４から前方に延びている。右リンク部材９０Ｒと左リンク部材９０Ｌのそれぞれの先端部は、ピボット軸８９を介して車体フレーム８１に回動可能に接続されている。また、右リンク部材９０Ｒと左リンク部材９０Ｌは、それぞれピボット軸９１（図１５を参照）を介してエンジン本体９４に回動可能に接続されている。なお、図１４は、右リンク部材９０Ｒおよびエンジン本体９４の後述するシュラウド９６などを部分的に除いた表示となっている。
【０１７３】
単気筒４ストロークエンジンユニット９３は、エンジン本体９４と、動力伝達部９５と、エアクリーナ（図示せず）と、吸気管１１０（図１７を参照）と、排気管１１１と、消音器１１２と、メイン触媒１１６（単一燃焼室用メイン触媒）と、上流酸素検出部材１１４（単一燃焼室用上流酸素検出部材）とを備えている。また、単気筒４ストロークエンジンユニット９３は、実施形態１の電子制御ユニット４５と同様の電子制御ユニットを有する。電子制御ユニットは、エンジン本体９４を制御する。
【０１７４】
エンジン本体９４は、単気筒４ストロークエンジンである。エンジン本体９４は、強制空冷式のエンジンである。エンジン本体９４は、シュラウド９６と、ファン９７と、クランクケース部９８と、シリンダ部９９とを備えている。
【０１７５】
シリンダ部９９は、クランクケース部９８から前方に延びている。シュラウド９６は、シリンダ部９９の後部を全周にわたって覆っている。詳細には、シュラウド９６は、後述するシリンダボディ１０１全体とシリンダヘッド１０２全体を全周にわたって覆っている。但し、シリンダヘッド１０２に接続される排気管１１１の周囲は覆われていない。シュラウド９６は、クランクケース部９８の右側部分を覆っている。
【０１７６】
ファン９７は、シュラウド９６とクランクケース部９８との間に配置されている。シュラウド９６のファン９７と対向する部分には、空気を取り入れるための流入口が形成されている。ファン９７は、エンジン本体９４を冷却するための空気流を発生させる。より具体的には、ファン９７の回転により、シュラウド９６内に空気が導入される。この空気流がエンジン本体９４に当たることでクランクケース部９８およびシリンダ部９９が冷却される。
【０１７７】
クランクケース部９８は、クランクケース本体１００と、クランクケース本体１００に収容されたクランク軸１０４等を有する。クランク軸１０４の中心線（クランク軸線）Ｃｒ３は、左右方向に延びている。クランク軸１０４の右端部には、ファン９７が一体に回転可能に連結されている。ファン９７は、クランク軸１０４の回転によって駆動される。クランクケース本体１００内には潤滑用のオイルが貯蔵されている。かかるオイルはオイルポンプ（図示せず）によって搬送され、エンジン本体９４内を循環している。
【０１７８】
シリンダ部９９は、シリンダボディ１０１と、シリンダヘッド１０２と、ヘッドカバー１０３と、これらの内部に収容された部品とを有する。図１４に示すように、シリンダボディ１０１は、クランクケース本体１００の前部に接続されている。シリンダヘッド１０２は、シリンダボディ１０１の前部に接続されている。ヘッドカバー１０３は、シリンダヘッド１０２の前部に接続されている。
【０１７９】
図１７に示すように、シリンダボディ１０１には、シリンダ孔１０１ａが形成されている。シリンダ孔１０１ａ内には、ピストン１０５が往復移動可能に収容されている。ピストン１０５はコンロッドを介してクランク軸１０４に連結されている。以下、シリンダ孔１０１ａの中心線Ｃｙ３を、シリンダ軸線Ｃｙ３と称する。図１５に示すように、エンジン本体９４は、シリンダ軸線Ｃｙ３が、前後方向に延びるように配置されている。より詳細には、シリンダ軸線Ｃｙ３のクランクケース部９８からシリンダ部９９に向かう方向は、前上向きである。シリンダ軸線Ｃｙ３の水平方向に対する傾斜角度は、０度以上４５度以下である。
【０１８０】
図１７に示すように、シリンダ部９９の内部には、１つの燃焼室１０６が形成されている。燃焼室１０６は、シリンダボディ１０１のシリンダ孔１０１ａの内面と、シリンダヘッド１０２と、ピストン１０５とによって形成されている。図１５に示すように、燃焼室１０６は、クランク軸線Ｃｒ３よりも前方に位置する。これは、以下のように言い換えられる。クランク軸線Ｃｒ３を通り、上下方向と平行に延びる直線をＬ５とする。左右方向から見て、燃焼室１０６は直線Ｌ５の前方に配置されている。
【０１８１】
図１７に示すように、シリンダヘッド１０２には、シリンダ吸気通路部１０７と、シリンダ排気通路部１０８（単一燃焼室用シリンダ排気通路部）が形成されている。シリンダヘッド１０２において、燃焼室１０６を形成する壁部には、吸気ポート１０７ａおよび排気ポート１０８ａが形成されている。シリンダ吸気通路部１０７は、吸気ポート１０７ａからシリンダヘッド１０２の外面（上面）に形成された吸入口まで延びている。シリンダ排気通路部１０８は、排気ポート１０８ａからシリンダヘッド１０２の外面（下面）に形成された排出口まで延びている。燃焼室１０６に供給される空気は、シリンダ吸気通路部１０７内を通過する。燃焼室１０６から排出される排ガスは、シリンダ排気通路部１０８を通過する。
【０１８２】
シリンダ吸気通路部１０７には吸気弁Ｖ５が配置されている。シリンダ排気通路部１０８には排気弁Ｖ６が配置されている。吸気ポート１０７ａは、吸気弁Ｖ５の運動により開閉される。排気ポート１０８ａは、排気弁Ｖ６の運動により開閉される。シリンダ吸気通路部１０７の端部（吸入口）には吸気管１１０が接続されている。シリンダ排気通路部１０８の端部（排出口）には排気管１１１が接続されている。シリンダ排気通路部１０８の経路長をａ３とする。
【０１８３】
上述したように、図１４は、右リンク部材９０Ｒおよびシュラウド９６などを部分的に除いた表示となっている。これにより、シリンダヘッド１０２の下面と排気管１１１との接続部を見えるようにしている。図１４および図１６に示すように、下方から見て、排気管１１１の上流端部は、右リンク部材９０Ｒと左リンク部材９０Ｌの間に位置している。しかし、図１５に示すように、左右方向から見て、排気管１１１は、右リンク部材９０Ｒおよび左リンク部材９０Ｌの上方を通っている。したがって、排気管１１１は、右リンク部材９０Ｒと左リンク部材９０Ｌの間を通っていない。
【０１８４】
単気筒４ストロークエンジンユニット９３は、実施形態１のエンジン本体２０と同様に、点火プラグ、動弁機構、インジェクタ、スロットルバルブを備えている。また、単気筒４ストロークエンジンユニット９３は、実施形態１と同様に、エンジン回転速度センサ、スロットル開度センサ等の各種センサを備えている。
【０１８５】
上述したように、単気筒４ストロークエンジンユニット９３は、エンジン本体９４と、排気管１１１と、消音器１１２と、メイン触媒１１６と、上流酸素検出部材１１４とを備えている。排気通路部１１３（単一燃焼室用排気通路部）は、排気管１１１と消音器１１２によって、構成される。消音器１１２は、大気に面する放出口１１２ｅを有する。排気通路部１１３は、シリンダ排気通路部１０８の下流端から放出口１１２ｅまで排ガスを流す。燃焼室１０６から放出口１１２ｅに至る経路を、排気経路１１８（図１７を参照）とする。排気経路１１８は、シリンダ排気通路部１０８と排気通路部１１３とによって形成される。排気経路１１８は、排ガスが通過する空間である。
【０１８６】
図１７に示すように、排気管１１１の上流端部は、シリンダ排気通路部１０８に接続される。排気管１１１の下流端部は、消音器１１２に接続される。排気管１１１の途中には、触媒ユニット１１５が設けられている。排気管１１１の触媒ユニット１１５より上流の部分を、上流排気管１１１ａとする。排気管１１１の触媒ユニット１１５より下流の部分を下流排気管１１１ｂとする。なお、図１７では、簡略化のために排気管１１１を一直線状に描いているが、排気管１１１は一直線状ではない。
【０１８７】
図１４に示すように、排気管１１１は、自動二輪車８０の右部に設けられている。図１５に示すように、排気管１１１の一部は、クランク軸線Ｃｒ３の下方に位置する。排気管１１１は、２つの屈曲部を有する。２つの屈曲部のうち上流の屈曲部を、単に、上流の屈曲部という。２つの屈曲部のうち下流の屈曲部を、単に、下流の屈曲部という。上流の屈曲部は、左右方向から見て、排ガスの流れ方向を、下向きから後下向きに変化させる。下流の屈曲部は、左右方向から見て、排ガスの流れ方向を、後下向きから後上向きに変化させる。下流の屈曲部より下流の部分が、クランク軸線Ｃｒ３の下方に位置する。メイン触媒１１６の下流端は、下流の屈曲部に配置されている。
【０１８８】
消音器１１２には、排気管１１１の下流端から排出された排ガスが流入する。消音器１１２は、排気管１１１に接続されている。消音器１１２は、排ガスの脈動波を抑制するように構成されている。それにより、消音器１１２は、排ガスによって生じる音（排気音）の音量を低減できる。消音器１１２内には、複数の膨張室と、膨張室同士を連通する複数のパイプが設けられている。排気管１１１の下流端部は、消音器１１２の膨張室内に配置されている。消音器１１２の下流端には、大気に面する放出口１１２ｅが設けられている。図１７に示すように、排気管１１１の下流端から放出口１１２ｅに至る排気経路の経路長をｅ３とする。消音器１１２を通過した排ガスは、放出口１１２ｅから大気へ放出される。図１５に示すように、放出口１１２ｅは、クランク軸線Ｃｒ３よりも後方に位置する。
【０１８９】
メイン触媒１１６は、排気管１１１（排気通路部１１３）内に配置されている。触媒ユニット１１５は、筒状のケーシング１１７と、メイン触媒１１６とを有する。ケーシング１１７の上流端は、上流排気管１１１ａに接続される。ケーシング１１７の下流端は、下流排気管１１１ｂに接続されている。ケーシング１１７は、排気管１１１（排気通路部１１３）の一部を構成する。メイン触媒１１６は、ケーシング１１７の内部に固定されている。排ガスは、メイン触媒１１６を通過することで浄化される。メイン触媒１１６には、燃焼室１０６の排気ポート１０８ａから排出された全ての排ガスが通過する。メイン触媒１１６は、排気経路１１８において、燃焼室１０６から排出された排ガスを最も浄化する。
【０１９０】
メイン触媒１１６の材質は、実施形態１のメイン触媒３９と同様である。メイン触媒１１６は、多孔構造を有している。メイン触媒１１６には、上流排気管１１１ａの経路幅より十分に細い複数の孔が形成されている。図１７に示すように、メイン触媒１１６の経路方向の長さをｃ３とする。メイン触媒１１６の経路方向に垂直な方向の最大幅をｗ３とする。メイン触媒１１６の長さｃ３は、メイン触媒１１６の最大幅ｗ３より長い。
【０１９１】
図１７に示すように、ケーシング１１７は、触媒配置通路部１１７ｂと、上流通路部１１７ａと、下流通路部１１７ｃとを有する。触媒配置通路部１１７ｂには、メイン触媒１１６が配置される。経路方向において、触媒配置通路部１１７ｂの上流端および下流端は、メイン触媒１１６の上流端および下流端とそれぞれ同じ位置である。触媒配置通路部１１７ｂの経路方向に直交する断面の面積はほぼ一定である。上流通路部１１７ａは、触媒配置通路部１１７ｂの上流端に接続されている。下流通路部１１７ｃは、触媒配置通路部１１７ｂの上流端に接続されている。
【０１９２】
上流通路部１１７ａは、少なくとも一部が、テーパー状に形成されている。このテーパー部は、下流に向かって内径が大きくなっている。下流通路部１１７ｃは、少なくとも一部が、テーパー状に形成されている。このテーパー部は、下流に向かって内径が小さくなっている。触媒配置通路部１１７ｂの経路方向に直交する断面の面積をＳ３とする。上流通路部１１７ａの上流端（少なくとも一部）の経路方向に直交する断面の面積は面積Ｓ３よりも小さい。下流通路部１１７ｃの少なくとも一部の経路方向に直交する断面の面積は面積Ｓ３よりも小さい。ここでの下流通路部１１７ｃの少なくとも一部には、下流通路部１１７ｃの下流端が含まれる。
【０１９３】
図１５に示すように、メイン触媒１１６の少なくとも一部は、クランク軸線Ｃｒ３よりも前方に配置されている。つまり、左右方向から見て、メイン触媒１１６は、直線Ｌ５の前方に配置されている。上述したように、直線Ｌ５は、クランク軸線Ｃｒ３を通り、上下方向と平行に延びる直線である。当然ながら、メイン触媒１１６の上流端も、クランク軸線Ｃｒ３よりも前方に配置されている。また、左右方向から見て、メイン触媒１１６は、シリンダ軸線Ｃｙ３の前方（下方）に位置する。
【０１９４】
図１５に示すように、シリンダ軸線Ｃｙ３に直交し且つクランク軸線Ｃｒ３に直交する直線をＬ６とする。左右方向から見て、メイン触媒１１６は、直線Ｌ６の前方に位置する。
【０１９５】
図１７に示すように、排気通路部１１３（排気管１１１）の上流端からメイン触媒１１６の上流端までの経路長をｂ４とする。経路長ｂ４は、上流排気管１１１ａと触媒ユニット１１５の上流通路部１１７ａからなる通路部の経路長である。言い換えると、経路長ｂ４は、シリンダ排気通路部１０８の下流端からメイン触媒１１６の上流端までの経路長である。また、メイン触媒１１６の下流端から排気管１１１の下流端までの経路長をｄ４とする。経路長ｄ４は、触媒ユニット１１５の下流通路部１１７ｃと下流排気管１１１ｂからなる通路部の経路長である。燃焼室１０６からメイン触媒１１６の上流端までの経路長は、ａ３＋ｂ４である。メイン触媒１１６の下流端から放出口１１２ｅまでの経路長は、ｄ４＋ｅ３である。
【０１９６】
メイン触媒１１６は、経路長ａ３＋ｂ４が、経路長ｄ４＋ｅ３よりも短くなる位置に配置される。また、メイン触媒１１６は、経路長ａ３＋ｂ４が、経路長ｄ４よりも短くなる位置に配置される。さらに、メイン触媒１１６は、経路長ｂ４が、経路長ｄ４よりも短くなる位置に配置される。
【０１９７】
上流酸素検出部材１１４は、排気管１１１（排気通路部１１３）に配置されている。上流酸素検出部材１１４は、メイン触媒１１６よりも上流に配置される。上流酸素検出部材１１４は、排ガスに含まれる酸素濃度を検出するセンサである。上流酸素検出部材１１４の構造は、実施形態１の上流酸素検出部材と同様である。
【０１９８】
図１７に示すように、燃焼室１０６から上流酸素検出部材１１４までの経路長をｈ７とする。上流酸素検出部材１１４からメイン触媒１１６の上流端までの経路長をｈ８とする。上流酸素検出部材１１４は、経路長ｈ７が経路長ｈ８よりも長くなる位置に配置されている。
【０１９９】
以上説明したように、実施形態３の自動二輪車８０は、クランク軸線Ｃｒ３より前方にメイン触媒１１６を有する。それ以外にも実施形態１の自動二輪車１と同様の配置関係を有する。実施形態１と同様の配置関係については、実施形態１で述べた効果と同様の効果を奏する。
【０２００】
また、実施形態３の自動二輪車８０においても、上述した変形例１の排気系の構成を適用することが可能である。この場合、変形例１と同様の作用が得られる。
【０２０１】
（実施形態４）
図１８は、本発明の実施形態４の自動二輪車の側面図である。図１９は、実施形態４の自動二輪車の底面図である。図２０は、実施形態４の自動二輪車の車体カバー等を外した状態の側面図である。図２１は、実施形態４の自動二輪車の車体カバー等を外した状態の底面図である。図２２は、実施形態４の自動二輪車のエンジンと排気系を示す模式図である。
【０２０２】
実施形態４のビークルは、いわゆるスポーツスクータ型の自動二輪車１２０である。図２０に示すように、自動二輪車１２０は、車体フレーム１２１を有する。車体フレーム１２１は、ヘッドパイプ１２１ａと、メインフレーム１２１ｂと、右シートレール１２２Ｒと、左シートレール１２２Ｌと、左右一対のアンダーフレーム１２１ｃと、クロスメンバ１２１ｄ（図２１を参照）を有する。メインフレーム１２１ｂは、ヘッドパイプ１２１ａから後下向きに延びている。アンダーフレーム１２１ｃは、メインフレーム１２１ｂの中途部から後下向きに延びた後、後方に湾曲して後向きに略水平に延びている。図２１に示すように、クロスメンバ１２１ｄは、左右のアンダーフレーム１２１ｃに連結されている。クロスメンバ１２１ｄは、左右方向に延びている。図２０に示すように、左シートレール１２２Ｌは、メインフレーム１２１ｂの中途部から後上向きに延びている。図２１に示すように、右シートレール１２２Ｒは、クロスメンバ１２１ｄの右端部に接続されている。図２０に示すように、右シートレール１２２Ｒは、クロスメンバ１２１ｄから上向きに延びた後、後方に湾曲している。右シートレール１２２Ｒの後部は、左シートレール１２２Ｌと略平行に延びている。
【０２０３】
ヘッドパイプ１２１ａには、ステアリングシャフトが回転自在に挿入されている。ステアリングシャフトの上部にはハンドル１２３が設けられている。ハンドル１２３の近傍には、表示装置（図示せず）が配置されている。表示装置には、車速、エンジン回転速度、各種の警告などが表示される。
【０２０４】
ステアリングシャフトの下部には、左右一対のフロントフォーク１２４が支持されている。フロントフォーク１２４の下端部には、前輪１２５が回転自在に支持されている。
【０２０５】
左右のシートレール１２２Ｌ、１２２Ｒには、シート１２６（図１８を参照）が支持されている。
【０２０６】
図１８に示すように、自動二輪車１２０は、車体フレーム１２１等を覆う車体カバー１２７を有する。車体カバー１２７は、フロントカウル１２７ａと、メインカバー１２７ｂと、アンダーカバー１２７ｃとを有する。フロントカウル１２７ａは、ヘッドパイプ１２１ａと、メインフレーム１２１ｂの上部を覆っている。メインフレーム１２１ｂの下部は、メインカバー１２７ｂとアンダーカバー１２７ｃによって覆われている。メインカバー１２７ｂは、右シートレール１２２Ｒと、左シートレール１２２Ｌを覆っている。アンダーカバー１２７ｃは、アンダーフレーム１２１ｃと、クロスメンバ１２１ｄを覆っている。メインカバー１２７ｂは、後述するエンジン本体１３３の前部と、エアクリーナ１４７（図２０を参照）を覆っている。エアクリーナ１４７は、エンジン本体１３３の前方に配置されている。
【０２０７】
車体フレーム１２１には、ユニットスイングタイプの単気筒４ストロークエンジンユニット１３２が取り付けられている。単気筒４ストロークエンジンユニット１３２は、エンジン本体１３３と、動力伝達部１３４（図１９および図２１を参照）を有する。動力伝達部１３４は、エンジン本体１３３の後部に接続されている。動力伝達部１３４は、エンジン本体１３３の左方に配置されている。動力伝達部１３４には変速機が収容されている。動力伝達部１３４は、後輪１２８を回転可能に支持している。
【０２０８】
エンジン本体１３３と動力伝達部１３４は、一体的に、車体フレーム１２１に対して揺動可能となっている。具体的には、図２０および図２１に示すように、エンジン本体１３３の下部の左右両端部には、右リンク部材１３０Ｒと左リンク部材１３０Ｌが接続されている。右リンク部材１３０Ｒと左リンク部材１３０Ｌは、エンジン本体１３３から前方に延びている。右リンク部材１３０Ｒと左リンク部材１３０Ｌのそれぞれの先端部は、ピボット軸１２９を介して車体フレーム１２１（アンダーフレーム１２１ｃ）に回動可能に接続されている。また、右リンク部材１３０Ｒと左リンク部材１３０Ｌは、それぞれピボット軸１３１を介してエンジン本体１３３に回動可能に接続されている。
【０２０９】
単気筒４ストロークエンジンユニット１３２は、水冷式のエンジンである。単気筒４ストロークエンジンユニット１３２は、エンジン本体１３３と、水冷却装置１３５と、動力伝達部１３４と、エアクリーナ１４７（図２０および図２１を参照）と、吸気管１４８（図２０を参照）と、排気管１４９と、消音器１５０と、メイン触媒１５４（単一燃焼室用メイン触媒）と、上流酸素検出部材１５２（単一燃焼室用上流酸素検出部材）とを備えている。また、単気筒４ストロークエンジンユニット１３２は、実施形態１の電子制御ユニット４５と同様の電子制御ユニットを有する。電子制御ユニットは、エンジン本体１３３を制御する。
【０２１０】
水冷却装置１３５は、ラジエータ（図示せず）と、水ポンプ（図示せず）と、ファン（図示せず）と、カバー部１３５ａとを有する。ファンは、エンジン本体１３３の後部の右に配置される。ラジエータは、ファンの右方に配置される。カバー部１３５ａは、ラジエータを右方から覆う。さらに、カバー部１３５ａは、ラジエータとファンを上下および前後から覆う。
【０２１１】
エンジン本体１３３は、単気筒４ストロークエンジンである。図２０に示すように、エンジン本体１３３は、クランクケース部１３６と、シリンダ部１３７とを備えている。シリンダ部１３７は、クランクケース部１３６から前方に延びている。
【０２１２】
クランクケース部１３６は、クランクケース本体１３８と、クランクケース本体１３８に収容されたクランク軸１４２等を有する。クランク軸１４２の中心線（クランク軸線）Ｃｒ４は、左右方向に延びている。クランクケース本体１３８内には潤滑用のオイルが貯蔵されている。かかるオイルはオイルポンプ（図示せず）によって搬送され、エンジン本体１３３内を循環している。
【０２１３】
クランク軸１４２の右端部には、水冷却装置１３５のファンが一体に回転可能に連結されている。ファンは、クランク軸１４２の回転によって駆動される。ファンは、エンジン本体１３３を冷却するための空気流を発生させる。より具体的には、ファンの回転により、カバー部１３５ａ内に空気が吸い込まれる。吸い込まれた空気とラジエータの冷却水とが熱交換することで、冷却水が冷却される。そして、冷却された冷却水によってエンジン本体１３３が冷却される。
【０２１４】
シリンダ部１３７は、シリンダボディ１３９と、シリンダヘッド１４０と、ヘッドカバー１４１と、これらの内部に収容された部品とを有する。図２０および図２１に示すように、シリンダボディ１３９は、クランクケース本体１３８の前部に接続されている。シリンダヘッド１４０は、シリンダボディ１３９の前部に接続されている。図２０に示すように、ヘッドカバー１４１は、シリンダヘッド１４０の前部に接続されている。
【０２１５】
図２２に示すように、シリンダボディ１３９には、シリンダ孔１３９ａが形成されている。シリンダ孔１３９ａ内には、ピストン１４３が往復移動可能に収容されている。ピストン１４３はコンロッドを介してクランク軸１４２に連結されている。以下、シリンダ孔１３９ａの中心線Ｃｙ４を、シリンダ軸線Ｃｙ４と称する。図２０に示すように、エンジン本体１３３は、シリンダ軸線Ｃｙ４が、前後方向に延びるように配置されている。より詳細には、シリンダ軸線Ｃｙ４のクランクケース部１３６からシリンダ部１３７に向かう方向は、前上向きである。シリンダ軸線Ｃｙ４の水平方向に対する傾斜角度は、０度以上４５度以下である。
【０２１６】
図２２に示すように、シリンダ部１３７の内部には、１つの燃焼室１４４が形成されている。燃焼室１４４は、シリンダボディ１３９のシリンダ孔１３９ａの内面と、シリンダヘッド１４０と、ピストン１４３とによって形成されている。図２０に示すように、燃焼室１４４は、クランク軸線Ｃｒ４よりも前方に位置する。これは、以下のように言い換えられる。クランク軸線Ｃｒ４を通り、上下方向と平行に延びる直線をＬ７とする。左右方向から見て、燃焼室１４４は直線Ｌ７の前方に配置されている。
【０２１７】
図２２に示すように、シリンダヘッド１４０には、シリンダ吸気通路部１４５と、シリンダ排気通路部１４６（単一燃焼室用シリンダ排気通路部）が形成されている。シリンダヘッド１４０において、燃焼室１４４を形成する壁部には、吸気ポート１４５ａおよび排気ポート１４６ａが形成されている。シリンダ吸気通路部１４５は、吸気ポート１４５ａからシリンダヘッド１４０の外面（上面）に形成された吸入口まで延びている。シリンダ排気通路部１４６は、排気ポート１４６ａからシリンダヘッド１４０の外面（下面）に形成された排出口まで延びている。燃焼室１４４に供給される空気は、シリンダ吸気通路部１４５内を通過する。燃焼室１４４から排出される排ガスは、シリンダ排気通路部１４６を通過する。
【０２１８】
シリンダ吸気通路部１４５には吸気弁Ｖ７が配置されている。シリンダ排気通路部１４６には排気弁Ｖ８が配置されている。吸気ポート１４５ａは、吸気弁Ｖ７の運動により開閉される。排気ポート１４６ａは、排気弁Ｖ８の運動により開閉される。シリンダ吸気通路部１４５の端部（吸入口）には吸気管１４８が接続されている。シリンダ排気通路部１４６の端部（排出口）には排気管１４９が接続されている。シリンダ排気通路部１４６の経路長をａ４とする。
【０２１９】
図２１に示すように、排気管１４９は、シリンダヘッド１４０の下面に接続されている。下方から見て、排気管１４９の上流端部は、右リンク部材１３０Ｒと左リンク部材１３０Ｌの間に位置している。さらに、図２０に示すように、左右方向から見て、排気管１４９の一部は、右リンク部材１３０Ｒおよび左リンク部材１３０Ｌと重なっている。したがって、排気管１４９は、右リンク部材１３０Ｒおよび左リンク部材１３０Ｌの間を通っている。
【０２２０】
単気筒４ストロークエンジンユニット１３２は、実施形態１と同様に、点火プラグ、動弁機構、インジェクタ、スロットルバルブを備えている。また、単気筒４ストロークエンジンユニット１３２は、実施形態１と同様に、エンジン回転速度センサ、スロットル開度センサ等の各種センサを備えている。
【０２２１】
上述したように、単気筒４ストロークエンジンユニット１３２は、エンジン本体１３３と、排気管１４９と、消音器１５０と、メイン触媒１５４と、上流酸素検出部材１５２とを備えている。排気管１４９と消音器１５０によって、排気通路部１５１（単一燃焼室用排気通路部）が構成される。消音器１５０は、大気に面する放出口１５０ｅを有する。排気通路部１５１は、シリンダ排気通路部１４６の下流端から放出口１５０ｅまで排ガスを流す。燃焼室１４４から放出口１５０ｅに至る経路を、排気経路１５６（図２２を参照）とする。排気経路１５６は、シリンダ排気通路部１４６と排気通路部１５１とによって形成される。排気経路１５６は、排ガスが通過する空間である。
【０２２２】
図２２に示すように、排気管１４９の上流端部は、シリンダ排気通路部１４６に接続される。排気管１４９の下流端部は、消音器１５０に接続される。排気管１４９の途中には、触媒ユニット１５３が設けられている。排気管１４９の触媒ユニット１５３より上流の部分を、上流排気管１４９ａとする。排気管１４９の触媒ユニット１５３より下流の部分を下流排気管１４９ｂとする。なお、図２２では、簡略化のために排気管１４９を一直線状に描いているが、排気管１４９は一直線状ではない。
【０２２３】
図１９および図２１に示すように、排気管１４９の大部分は、自動二輪車１２０の右部に設けられている。排気管１４９の上流端部は、自動二輪車１２０の左右方向の略中央部に位置している。図２０に示すように、排気管１４９の一部は、クランク軸線Ｃｒ４の下方に位置する。排気管１４９は、２つの屈曲部を有する。２つの屈曲部のうち上流の屈曲部を、単に、上流の屈曲部という。２つの屈曲部のうち下流の屈曲部を、単に、下流の屈曲部という。上流の屈曲部は、左右方向から見て、排ガスの流れ方向を、上下方向に延びる方向から前後方向に延びる方向に変化させる。より具体的には、上流の屈曲部は、左右方向から見て、排ガスの流れ方向を、下向きから後下向きに変化させる。下流の屈曲部は、左右方向から見て、排ガスの流れ方向を、後下向きから後向きに変化させる。下流の屈曲部より下流の部分が、クランク軸線Ｃｒ４の下方に位置する。メイン触媒１５４はこの２つの屈曲部の間に配置されている。
【０２２４】
消音器１５０には、排気管１４９の下流端から排出された排ガスが流入する。消音器１５０は、排気管１４９に接続されている。消音器１５０は、排ガスの脈動波を抑制するように構成されている。それにより、消音器１５０は、排ガスによって生じる音（排気音）の音量を低減できる。消音器１５０内には、複数の膨張室と、膨張室同士を連通する複数のパイプが設けられている。排気管１４９の下流端部は、消音器１５０の膨張室内に配置されている。消音器１５０の下流端には、大気に面する放出口１５０ｅが設けられている。図２２に示すように、排気管１４９の下流端から放出口１５０ｅに至る排気経路の経路長をｅ４とする。消音器１５０を通過した排ガスは、放出口１５０ｅから大気へ放出される。図２０に示すように、放出口１５０ｅは、クランク軸線Ｃｒ４よりも後方に位置する。
【０２２５】
メイン触媒１５４は、排気管１４９（排気通路部１５１）内に配置されている。触媒ユニット１５３は、筒状のケーシング１５５と、触媒ユニット１５３とを有する。ケーシング１５５の上流端は、上流排気管１４９ａに接続されている。ケーシング１５５の下流端は、下流排気管１４９ｂに接続されている。ケーシング１５５は、排気管１４９（排気通路部１５１）の一部を構成する。メイン触媒１５４は、ケーシング１５５の内部に固定されている。排ガスは、メイン触媒１５４を通過することで浄化される。メイン触媒１５４には、燃焼室１４４の排気ポート１４６ａから排出された全ての排ガスが通過する。メイン触媒１５４は、排気経路１５６において、燃焼室１４４から排出された排ガスを最も浄化する。
【０２２６】
メイン触媒１５４の材質は、実施形態１のメイン触媒３９と同様である。メイン触媒１５４は、多孔構造を有している。メイン触媒１５４には、上流排気管１４９ａの経路幅より十分に細い複数の孔が形成されている。図２２に示すように、メイン触媒１５４の経路方向の長さをｃ４とする。メイン触媒１５４の経路方向に垂直な方向の最大幅をｗ４とする。メイン触媒１５４の長さｃ４は、メイン触媒１５４の最大幅ｗ４より長い。
【０２２７】
図２２に示すように、ケーシング１５５は、触媒配置通路部１５５ｂと、上流通路部１５５ａと、下流通路部１５５ｃとを有する。触媒配置通路部１５５ｂには、メイン触媒１５４が配置される。経路方向において、触媒配置通路部１５５ｂの上流端および下流端は、メイン触媒１５４の上流端および下流端とそれぞれ同じ位置である。触媒配置通路部１５５ｂの経路方向に直交する断面の面積はほぼ一定である。上流通路部１５５ａは、触媒配置通路部１５５ｂの上流端に接続されている。下流通路部１５５ｃは、触媒配置通路部１５５ｂの上流端に接続されている。
【０２２８】
上流通路部１５５ａは、少なくとも一部が、テーパー状に形成されている。このテーパー部は、下流に向かって内径が大きくなっている。下流通路部１５５ｃは、少なくとも一部が、テーパー状に形成されている。このテーパー部は、下流に向かって内径が小さくなっている。触媒配置通路部１５５ｂの経路方向に直交する断面の面積をＳ４とする。上流通路部１５５ａの少なくとも一部の経路方向に直交する断面の面積を面積Ｓ４よりも小さい。ここでの上流通路部１５５ａの少なくとも一部には、上流通路部１５５ａの上流端が含まれる。下流通路部１５５ｃの少なくとも一部の経路方向に直交する断面の面積は面積Ｓ４よりも小さい。ここでの下流通路部１５５ｃの少なくとも一部には、下流通路部１５５ｃの下流端が含まれる。
【０２２９】
図２０に示すように、メイン触媒１５４は、クランク軸線Ｃｒ４よりも前方に配置されている。つまり、左右方向から見て、メイン触媒１５４は、直線Ｌ７の前方に配置されている。上述したように、直線Ｌ７は、クランク軸線Ｃｒ４を通り、上下方向と平行に延びる直線である。当然ながら、メイン触媒１５４の上流端も、クランク軸線Ｃｒ４よりも前方に配置されている。また、左右方向から見て、メイン触媒１５４は、シリンダ軸線Ｃｙ４の前方（下方）に位置する。
【０２３０】
図２０に示すように、シリンダ軸線Ｃｙ４に直交し且つクランク軸線Ｃｒ４に直交する直線をＬ８とする。左右方向から見て、メイン触媒１５４は、直線Ｌ８の前方に位置する。
【０２３１】
図２２に示すように、排気通路部１５１（排気管１４９）の上流端からメイン触媒１５４の上流端までの経路長をｂ５とする。経路長ｂ５は、上流排気管１４９ａと触媒ユニット１５３の上流通路部１５５ａからなる通路部の経路長である。言い換えると、経路長ｂ５は、シリンダ排気通路部１４６の下流端からメイン触媒１５４の上流端までの経路長である。また、メイン触媒１５４の下流端から排気管１４９の下流端までの経路長をｄ５とする。経路長ｄ５は、触媒ユニット１５３の下流通路部１５５ｃと下流排気管１４９ｂからなる通路部の経路長である。燃焼室１４４からメイン触媒１５４の上流端までの経路長は、ａ４＋ｂ５である。メイン触媒１５４の下流端から放出口１５０ｅまでの経路長は、ｄ５＋ｅ４である。
【０２３２】
メイン触媒１５４は、経路長ａ４＋ｂ５が、経路長ｄ５＋ｅ４よりも短くなる位置に配置される。また、メイン触媒１５４は、経路長ａ４＋ｂ５が、経路長ｄ５よりも短くなる位置に配置される。さらに、メイン触媒１５４は、経路長ｂ５が、経路長ｄ５よりも短くなる位置に配置される。
【０２３３】
上流酸素検出部材１５２は、排気管１４９（排気通路部１５１）に配置されている。上流酸素検出部材１５２は、メイン触媒１５４よりも上流に配置される。上流酸素検出部材１５２は、排ガスに含まれる酸素濃度を検出するセンサである。上流酸素検出部材１５２の構造は、実施形態１の上流酸素検出部材と同様である。
【０２３４】
図２２に示すように、燃焼室１４４から上流酸素検出部材１５２までの経路長をｈ９とする。上流酸素検出部材１５２からメイン触媒１５４の上流端までの経路長をｈ１０とする。上流酸素検出部材１５２は、経路長ｈ９が経路長ｈ１０よりも長くなる位置に配置されている。
【０２３５】
以上説明したように、実施形態４の自動二輪車１２０は、クランク軸線Ｃｒ４より前方にメイン触媒１５４を有する。それ以外にも実施形態１の自動二輪車１と同様の配置関係を有する。実施形態１と同様の配置関係については、実施形態１で述べた効果と同様の効果を奏する。
【０２３６】
また、実施形態４の自動二輪車１２０においても、上述した変形例１の排気系の構成を適用することが可能であり、変形例１と同様の作用が得られる。
【０２３７】
以上、本発明の好適な実施の形態について説明したが、本発明は上記実施形態に限られるものではなく、特許請求の範囲に記載した限りにおいて様々な変更が可能である。また、後述する変更例は適宜組み合わせて実施することができる。
【０２３８】
上記実施形態１〜４において、触媒ユニット３８、７９、１１５、１５３のケーシング４０、１８１、１１７、１５５と、上流排気管３４ａ、７５ａ、１１１ａ、１４９ａとは、別々に形成された後に接合されている。しかし、触媒ユニット３８、７９、１１５、１５３のケーシング４０、１８１、１１７、１５５と、上流排気管３４ａ、７５ａ、１１１ａ、１４９ａとは、一体成形されていてもよい。
【０２３９】
上記実施形態１〜４において、触媒ユニット３８、７９、１１５、１５３のケーシング４０、１８１、１１７、１５５と、下流排気管３４ｂ、７５ｂ、１１１ｂ、１４９ｂとは、別々に形成された後に接合されている。しかし、触媒ユニット３８、７９、１１５、１５３のケーシング４０、１８１、１１７、１５５と、下流排気管３４ｂ、７５ｂ、１１１ｂ、１４９ｂとは、一体成形されていてもよい。
【０２４０】
上記実施形態１の排気管３４の形状は、図１〜図３に示した形状に限定されない。また、消音器３５の内部構造は、図５の模式図に示す構造に限定されない。上記実施形態２〜４の排気管７５、１１１、１４９および消音器７６、１１２、１５０についても同様である。
【０２４１】
上記実施形態１〜４において、メイン触媒３９、１１６、１８０、１５４及び消音器３５、７６、１１２、１５０は、自動二輪車１、５０、８０、１２０の左右方向中央より右方に配置されている。しかし、メイン触媒及び消音器は、自動二輪車の左右方向中央より左方に配置されていてもよい。なお、自動二輪車の左右方向中央とは、上下方向から見て、前輪の左右方向中央と後輪の左右方向中央を通る直線の位置である。
【０２４２】
上記実施形態１〜４において、排気管３４、７５、１１１、１４９は、その一部が、クランク軸線Ｃｒ１〜Ｃｒ４の下方に位置している。しかし、排気管（単一燃焼室用排気通路部）は、その一部が、クランク軸線の上方に位置していてもよい。
【０２４３】
上記実施形態１〜４において、メイン触媒３９、１８０、１１６、１５４は、三元触媒である。しかし、本発明の単一燃焼室用メイン触媒は、三元触媒でなくてもよい。単一燃焼室用メイン触媒は、炭化水素、一酸化炭素、および窒素酸化物のいずれか１つまたは２つを除去する触媒であってもよい。また、単一燃焼室用メイン触媒は、酸化還元触媒でなくてもよい。メイン触媒は、酸化または還元のいずれか一方だけで有害物質を除去する酸化触媒または還元触媒であってもよい。還元触媒の一例として、窒素酸化物を還元反応によって除去する触媒がある。この変形例は、上流サブ触媒２００に適用してもよい。
【０２４４】
上記実施形態１において、メイン触媒３９は、経路方向の長さｃ１が、最大幅ｗ１よりも大きい。上記実施形態２〜４のメイン触媒１８０、１１６、１５４についても同様である。しかし、本発明の単一燃焼室用メイン触媒は、経路方向の長さが、経路方向に垂直な方向の最大幅より短くてもよい。但し、本発明の単一燃焼室用メイン触媒は、排気経路において、排ガスを最も浄化するように構成される。ここでの排気経路とは、燃焼室から、大気に面する放出口に至る経路である。
【０２４５】
本発明の単一燃焼室用メイン触媒は、複数ピースの触媒が近接して配置された構成としてもよい。各ピースは、基材と触媒物質を有する。ここで、近接とは、各ピースの経路方向の長さよりも、ピース同士の離間距離が短い状態のことである。複数ピースの基材の組成は、一種類でも、複数種類でもよい。複数ピースの触媒の触媒物質の貴金属は、一種類でも、複数種類でもよい。触媒物質の担体の組成は、一種類でも、複数種類でもよい。この変形例は、上流サブ触媒２００に適用してもよい。
【０２４６】
上記実施形態１の変形例１では、上流サブ触媒２００は、多孔構造を有しない。しかし、上流サブ触媒２００は、多孔構造を有していてもよい。上流サブ触媒２００が多孔構造であることにより、以下の効果が得られる。多孔構造の上流サブ触媒２００は、排ガスの流れの抵抗となる。それにより、上流サブ触媒２００の上流で、排ガスの流速を低下させることができる。また、多孔構造の上流サブ触媒２００は、圧力脈動の反射を生じさせる。そのため、上流サブ触媒２００の上流において、燃焼室２９から排出された排ガスとこの反射波が衝突する。これにより、上流サブ触媒２００の上流において、排ガス中の未燃燃料と酸素が混ざりやすくなる。また、この衝突によって、上流サブ触媒２００の上流において、排ガスの流速をより低下させることができる。
よって、メイン触媒３９の上流において、排ガス中の未燃燃料と酸素が混ざりやすくなる。さらに、メイン触媒３９の上流において、排ガスの流速をより低下させることができる。
したがって、上流酸素検出部材３７は、より酸化が進んだ状態の排ガスを検出対象とすることができる。言い換えると、上流酸素検出部材３７は、酸素濃度がより安定した排ガスを検出対象とすることができる。したがって、排ガス中の酸素濃度をより一層安定的に検出することができる。
【０２４７】
メイン触媒３９、１８０、１１６、１５４の配置位置は、各図に示された位置に限定されない。但し、メイン触媒３９、１８０、１１６、１５４の少なくとも一部は、クランク軸線Ｃｒ１〜Ｃｒ４よりも前方に配置される。この「少なくとも一部」は、メイン触媒３９、１８０、１１６、１５４の上流端を含む。以下、メイン触媒の配置位置の具体的な変更例を説明する。
【０２４８】
上記実施形態１〜４において、メイン触媒３９、１８０、１１６、１５４は、排気管３４、７５、１１１、１４９に配置されている。しかし、メイン触媒は、シリンダ部２２、６３、９９、１３７のシリンダ排気通路部３１、７２、１０８、１４６に配置されていてもよい。
【０２４９】
上記実施形態１〜４において、メイン触媒３９、１８０、１１６、１５４は、全体が、クランク軸線Ｃｒ１〜Ｃｒ４よりも前方に配置されている。しかし、メイン触媒は、少なくとも一部が、クランク軸線Ｃｒ１〜Ｃｒ４よりも前方に配置されていればよい。例えば図２３に示すように、メイン触媒１８０の一部だけが、クランク軸線Ｃｒ２よりも前方に配置されていてもよい。図２３のメイン触媒１８０は排気管３７５に配置されている。
【０２５０】
上記実施形態１〜４のメイン触媒３９、１８０、１１６、１５４は、左右方向から見て、全体が直線Ｌ２、Ｌ４、Ｌ６、Ｌ８の前方に配置されている。しかし、左右方向から見て、メイン触媒の少なくとも一部が、直線Ｌ２、Ｌ４、Ｌ６、Ｌ８の前方に配置されていてもよい。また、左右方向から見て、メイン触媒の少なくとも一部が、直線Ｌ２、Ｌ４、Ｌ６、Ｌ８の後方に配置されていてもよい。
【０２５１】
上記実施形態２のメイン触媒１８０は、左右方向から見て、全体がシリンダ軸線Ｃｙ２の前方に配置されている。しかし、メイン触媒１８０の一部が、左右方向から見て、シリンダ軸線Ｃｙ２の後方に配置されていてもよい。上記実施形態２のシリンダ軸線Ｃｙ２は、上下方向に延びている。
【０２５２】
上記実施形態１のメイン触媒３９は、経路長ａ１＋ｂ１が、経路長ｄ１＋ｅ１よりも短くなる位置に配置される。しかし、メイン触媒３９は、経路長ａ１＋ｂ１が、経路長ｄ１＋ｅ１よりも長くなる位置に配置されてもよい。なお、経路長ａ１＋ｂ１は、燃焼室２９からメイン触媒３９の上流端までの経路長である。経路長ｄ１＋ｅ１は、メイン触媒３９の下流端から放出口３５ｅまでの経路長である。この変形例は、上記実施形態２〜４のメイン触媒１８０、１１６、１５４に適用してもよい。
【０２５３】
上記実施形態１のメイン触媒３９は、経路長ａ１＋ｂ１が、経路長ｄ１よりも短くなる位置に配置される。しかし、メイン触媒３９は、経路長ａ１＋ｂ１が、経路長ｄ１よりも長くなる位置に配置されてもよい。なお、経路長ａ１＋ｂ１は、燃焼室２９からメイン触媒３９の上流端までの経路長である。経路長ｄ１は、メイン触媒３９の下流端から排気管３４の下流端までの経路長である。なお、この変形例は、上記実施形態２〜４のメイン触媒１８０、１１６、１５４に適用してもよい。
【０２５４】
上記実施形態１のメイン触媒３９は、経路長ｂ１が、経路長ｄ１よりも短くなる位置に配置される。しかし、メイン触媒３９は、経路長ｂ１が、経路長ｄ１よりも長くなる位置に配置されてもよい。なお、経路長ｂ１は、排気管３４の上流端からメイン触媒３９の上流端までの経路長である。経路長ｄ１は、メイン触媒３９の下流端から排気管３４の下流端までの経路長である。なお、この変形例は、上記実施形態２〜４のメイン触媒１８０、１１６、１５４に適用してもよい。
【０２５５】
上記実施形態の変形例１の上流サブ触媒２００は、メイン触媒３９より上流に設けられている。具体的には、上流サブ触媒２００は、上流排気管３４ａに設けられている。しかし、メイン触媒３９より上流に設けられる上流サブ触媒（単一燃焼室用上流サブ触媒）の配置位置は、上流排気管３４ａに限定されない。上流サブ触媒は、シリンダ排気通路部３１に設けられていてもよい。また、上流サブ触媒は、触媒ユニット３８の上流通路部４０ａに設けられていてもよい。この変形例は、上記実施形態２〜４に適用してもよい。
【０２５６】
メイン触媒の下流に、下流サブ触媒（単一燃焼室用下流サブ触媒）が設けられていてもよい。下流サブ触媒は、上記実施形態の変形例１の上流サブ触媒２００と同様の構成であってもよい。また、下流サブ触媒は、多孔構造であってもよい。例えば図２４（ｄ）および図２４（ｅ）に示すように、排気管３４に、下流サブ触媒４００が設けられていてもよい。また、下流サブ触媒は、消音器３５内に設けられてもよい。また、下流サブ触媒は、排気管３４の下流端より下流に設けられてもよい。また、メイン触媒がシリンダ排気通路部に設けられる場合、下流サブ触媒はシリンダ排気通路部に設けられてもよい。これら変形例は、上記実施形態２〜４に適用してもよい。また、下流サブ触媒を設ける場合、メイン触媒の上流に上流サブ触媒２００を設けてもよい。
【０２５７】
下流サブ触媒が多孔構造でない場合、以下の効果が得られる。下流サブ触媒は、メイン触媒に比べて、排ガスの流れに対する抵抗が小さい。また、この場合、下流サブ触媒は、メイン触媒に比べて、排ガスによる圧力脈動の反射を生じさせる作用が小さい。そのため、下流サブ触媒を設けても、排ガスの流れに大きな影響を与えない。よって、メイン触媒と上流酸素検出部材の配置によって得られる効果を妨げない。
【０２５８】
下流サブ触媒が多孔構造の場合、以下の効果が得られる。多孔構造の下流サブ触媒は、排ガスの流れの抵抗となる。それにより、下流サブ触媒の上流で、排ガスの流速を低下させることができる。また、多孔構造の下流サブ触媒は、圧力脈動の反射を生じさせる。そのため、下流サブ触媒の上流において、燃焼室から排出された排ガスとこの反射波が衝突する。これにより、下流サブ触媒の上流において、排ガス中の未燃燃料と酸素が混ざりやすくなる。また、この衝突によって、下流サブ触媒の上流において、排ガスの流速をより低下させることができる。
上流酸素検出部材は、下流サブ触媒より上流に配置される。したがって、上流酸素検出部材は、より酸化が進んだ状態の排ガスを検出対象とすることができる。言い換えると、上流酸素検出部材は、酸素濃度がより安定した排ガスを検出対象とすることができる。したがって、排ガス中の酸素濃度をより一層安定的に検出することができる。
【０２５９】
メイン触媒の下流に下流サブ触媒が設けられる場合、メイン触媒は、排気経路において、燃焼室から排出された排ガスを最も浄化する。メイン触媒と下流サブ触媒のそれぞれの浄化の寄与度は、変形例１で述べた測定方法で測定できる。変形例１で述べた測定方法における「フロント触媒」をメイン触媒とし、「リア触媒」を「下流サブ触媒」とする。
【０２６０】
メイン触媒の下流に下流サブ触媒が設けられる場合、下流サブ触媒の浄化能力は、メイン触媒の浄化能力より小さくても大きくてもよい。つまり、下流サブ触媒だけを設けた場合の排ガスの浄化率は、メイン触媒だけを設けた場合の排ガスの浄化率より小さくても大きくてもよい。
【０２６１】
メイン触媒の下流に下流サブ触媒が設けられる場合、メイン触媒は下流サブ触媒よりも劣化の進行が速い。そのため、累積走行距離が長くなると、メイン触媒と下流サブ触媒の浄化の寄与度の大小関係が逆転する場合がある。本発明の単一燃焼室用メイン触媒は、排気経路において、燃焼室から排出された排ガスを最も浄化する。これは、上述したような逆転現象が生じる前の状態のことである。つまり、累積走行距離が所定距離（例えば１０００ｋｍ）に到達していない状態のことである。
【０２６２】
本発明において、単気筒４ストロークエンジンユニットに設けられる触媒の数は、１つであっても複数であってもよい。触媒が複数の場合には、排気経路において、燃焼室から排出された排ガスを最も浄化する触媒が、本発明の単一燃焼室用メイン触媒に相当する。触媒が１つの場合は、この１つの触媒が、本発明の単一燃焼室用メイン触媒である。メイン触媒の上流と下流に上流サブ触媒と下流サブ触媒を設けてもよい。メイン触媒より上流に２つ以上の上流サブ触媒を設けてもよい。また、メイン触媒より下流に２つ以上の下流サブ触媒を設けてもよい。
【０２６３】
上流酸素検出部材３７、７８、１１４、１５２（単一燃焼室用上流酸素検出部材）の配置位置は、各図に示された位置に限定されない。但し、上流酸素検出部材３７、７８、１１４、１５２は、メイン触媒３９、１８０、１１６、１５４より上流に配置される。それに加えて、上流酸素検出部材３７、７８、１１４、１５２は、経路長ｈ１、ｈ３、ｈ５、ｈ７、ｈ９が、それぞれ、経路長ｈ２、ｈ４、ｈ６、ｈ８、ｈ１０よりも長くなる位置に配置される。以下、上流酸素検出部材の配置位置の具体的な変更例を説明する。
【０２６４】
上記実施形態１〜４において、上流酸素検出部材３７、７８、１１４、１５２は、排気管３４、７５、１１１、１４９、２３４に配置されている。しかし、上流酸素検出部材は、シリンダ部２２、６３、９９、１３７のシリンダ排気通路部３１、７２、１０８、１４６に配置されてもよい。
【０２６５】
変形例１の上流酸素検出部材３７は、図２４（ｂ）と同様に、上流サブ触媒２００より上流に配置されている。しかし、メイン触媒３９の上流に上流サブ触媒２００を設けた場合、上流酸素検出部材３７の配置位置は、以下の位置であってもよい。例えば図２４（ａ）に示すように、上流酸素検出部材３７は、上流サブ触媒２００より下流に設けられてもよい。また、例えば図２４（ｃ）に示すように、上流サブ触媒２００の上流と下流に２つの上流酸素検出部材３７Ａ、３７Ｂを設けてもよい。上流酸素検出部材３７Ａは、上流サブ触媒２００の上流に設けられる。上流酸素検出部材３７Ｂは、上流サブ触媒２００より下流でメイン触媒３９より上流に設けられる。
【０２６６】
例えば図２４（ｂ）に示すように、上流酸素検出部材３７が、上流サブ触媒２００より上流に設けられた場合、以下の効果が得られる。上流サブ触媒が多孔構造の場合、上流サブ触媒２００の上流において、排ガス中の未燃燃料と酸素が混ざりやすくなる。さらに、上流サブ触媒２００の上流において、排ガスの流速が低下する。そのため、上流酸素検出部材３７は、酸化がより進んだ状態の排ガスを検出対象とすることができる。言い換えると、上流酸素検出部材３７は、酸素濃度がより安定した排ガスを検出対象とすることができる。したがって、排ガス中の酸素濃度をより一層安定的に検出することができる。
【０２６７】
上記実施形態１〜４において、上流酸素検出部材３７、７８、１１４、１５２は、メイン触媒３９、１８０、１１６、１５４の上流に１つだけ配置されている。しかし、本発明のビークルに設けられる単一燃焼室用上流酸素検出部材の数は、２つ以上であってもよい。
【０２６８】
メイン触媒の下流に、少なくとも１つの下流酸素検出部材（単一燃焼室用下流酸素検出部材）が設けられていてもよい。下流酸素検出部材の具体的な構成は、上記実施形態１の上流酸素検出部材３７と同様である。例えば図２４（ａ）、図２４（ｂ）、図２４（ｄ）、図２４（ｅ）に示すように、下流酸素検出部材４３７は、排気管３４に設けられていてもよい。また、下流酸素検出部材は、消音器３５に設けられていてもよい。下流酸素検出部材は、排気管３４の下流端より下流の排ガスを検出対象とするように設けられていてもよい。また、メイン触媒がシリンダ排気通路部に設けられる場合、下流酸素検出部材はシリンダ排気通路部に設けられてもよい。これらの変形例は、上記実施形態２〜４および変形例１に適用してもよい。
【０２６９】
メイン触媒３９の下流に下流サブ触媒４００を設けた場合、下流酸素検出部材４３７の配置位置は、以下の２つの位置のいずれであってもよい。例えば図２４（ｄ）に示すように、下流酸素検出部材４３７は、メイン触媒３９より下流で下流サブ触媒４００より上流に設けられてもよい。また、例えば図２４（ｅ）に示すように、下流酸素検出部材４３７は、下流サブ触媒４００より下流に設けられてもよい。また、下流サブ触媒４００の上流と下流にそれぞれ下流酸素検出部材を設けてもよい。
【０２７０】
メイン触媒より下流に下流酸素検出部材が設けられる場合、電子制御ユニット（制御装置）は、下流酸素検出部材の信号を処理する。電子制御ユニット（制御装置）は、下流酸素検出部材の信号に基づいて、メイン触媒の浄化能力を判定してもよい。また、電子制御ユニット（制御装置）は、上流酸素検出部材と下流酸素検出部材の信号に基づいて、メイン触媒の浄化能力を判定してもよい。また、電子制御ユニット（制御装置）は、上流酸素検出部材と下流酸素検出部材の信号に基づいて、燃焼制御を行ってもよい。
【０２７１】
下流酸素検出部材の信号に基づいてメイン触媒の浄化能力を判定する具体的な方法の一例を説明する。まず、一定期間（数秒間）、混合ガスがリッチとリーンを繰り返すように燃料噴射量を制御する。そして、燃料噴射量の変化に対する、下流酸素検出部材の信号の変化の遅れを検出する。下流酸素検出部材の信号の変化の遅れが大きい場合に、メイン触媒の浄化能力が所定のレベルより低下したと判定する。この場合、電子制御ユニットから表示装置に信号が送られる。そして、表示装置の警告灯（図示せず）が点灯される。これにより、乗員にメイン触媒の交換を促すことができる。
【０２７２】
このように、メイン触媒の下流に配置された下流酸素検出部材の信号を用いることで、メイン触媒の劣化を検知できる。そのため、メイン触媒の劣化が所定のレベルに達する前に報知して、メイン触媒の交換を促すことができる。それにより、ビークルの排気浄化に関する初期性能をより長期間維持することができる。
【０２７３】
上流酸素検出部材と下流酸素検出部材の信号に基づいてメイン触媒の浄化能力を判定する具体的な方法の一例を説明する。例えば、上流酸素検出部材の信号の変化と下流酸素検出部材の信号の変化を比較して、メイン触媒の浄化能力を判定してもよい。メイン触媒の上流と下流に配置された２つの酸素検出部材の信号を使うことで、メイン触媒の劣化の程度をより精度よく検出できる。そのため、下流酸素検出部材の信号だけを使ってメイン触媒の劣化を判定する場合に比べて、より適切なタイミングで単一燃焼室用メイン触媒の交換を促すことができる。よって、車両の排気浄化性能に関する初期性能を維持しつつ、１つのメイン触媒をより長期間使用することが可能となる。
【０２７４】
上流酸素検出部材と下流酸素検出部材の信号に基づいて燃焼制御を行う具体的な方法の一例を説明する。まず、上記実施形態１と同様に、上流酸素検出部材３７の信号に基づいて基本燃料噴射量を補正して、インジェクタ４８から燃料を噴射させる。この燃料の燃焼によって発生する排ガスを下流酸素検出部材で検知する。そして、下流酸素検出部材の信号に基づいて燃料噴射量を補正する。これにより、目標空燃比に対する混合ガスの空燃比のずれをより低減できる。
【０２７５】
メイン触媒の上流と下流に配置された２つの酸素検出部材の信号を用いることで、メイン触媒による実際の浄化の状況を把握できる。そのため、２つの酸素検出部材の信号に基づいて、燃料制御を行った場合には、燃料制御の精度を向上できる。また、上流酸素検出部材は、排ガス中の酸素濃度を安定的に検出できる。したがって、燃料制御の精度をより一層向上できる。それにより、メイン触媒の劣化の進行を遅らせることができるため、ビークルの排気浄化に関する初期性能をより長期間維持することができる。
【０２７６】
上記実施形態１では、上流酸素検出部材３７の信号に基づいて、点火タイミングおよび燃料噴射量を制御する。この構成は、上記実施形態２〜４についても同様である。しかし、上流酸素検出部材３７の信号に基づく制御処理は、特に制限されるものではなく、点火タイミングおよび燃料噴射量のうちの一方のみであってもよい。また、上流酸素検出部材３７の信号に基づく制御処理は、上記以外の制御処理を含んでいてもよい。
【０２７７】
上流酸素検出部材３７、７８、１１４、１５２は、ヒータを内蔵していてもよい。上流酸素検出部材３７、７８、１１４、１５２の検出部は、高温に加熱されて活性化状態となったときに、酸素濃度を検知できる。そのため、上流酸素検出部材３７、７８、１１４、１５２がヒータを内蔵していると、運転開始と同時にヒータにより検出部を加熱することで、酸素検出の開始を早めることができる。メイン触媒より下流に下流酸素検出部材を設ける場合、下流酸素検出部材にこの変形例を適用してもよい。
【０２７８】
排気管のメイン触媒より上流の少なくとも一部は、多重管で構成されていてもよい。多重管は、内管と、内管を覆う少なくとも１つの外管とを有する。図２５は、排気管５３４のメイン触媒より上流の少なくとも一部が、二重管５００で構成された一例を示す。例えば図２５に示すように、排気管５３４のメイン触媒より上流の少なくとも一部は、二重管で構成されていてもよい。二重管５００は、内管５０１と、内管５０１を覆う外管５０２とを含む。図２５では、内管５０１と外管５０２は、両端部のみ互いに接触している。多重管の内管と外管は、両端部以外の部分で接触していてもよい。例えば、屈曲部において、内管と外管が接触していてもよい。接触している面積は、接触していない面積より小さいことが好ましい。また、内管と外管は全体的に接触していてもよい。排気管が多重管を有する場合、上流酸素検出部材は多重管の途中もしくは多重管より下流に配置することが好ましい。多重管を設けることで、排ガスの温度が低下するのを抑制できる。それにより、エンジン始動時に、上流酸素検出部材をより早期に活性化温度まで上昇させることができる。したがって、排ガス中の酸素濃度をより安定的に検出することができる。
【０２７９】
例えば図２６に示すように、触媒配置通路部４０ｂの外面の少なくとも一部は、触媒プロテクター６００で覆われていてもよい。触媒プロテクター６００は、略円筒状に形成されている。触媒プロテクター６００を設けることで、触媒配置通路部４０ｂおよびメイン触媒３９を保護できる。さらに、触媒プロテクター６００を設けることで、外観性を向上できる。この変形例は、上記実施形態２〜４に適用してもよい。
【０２８０】
上記実施形態１〜４において、エンジン駆動時に排気経路４１、１８２、１１８、１５６を流れるガスは、燃焼室２９、７０、１０６、１４４から排出された排ガスだけである。しかし、本発明の単気筒４ストロークエンジンユニットは、排気経路に空気を供給する二次空気供給機構を備えていてもよい。二次空気供給機構の具体的な構成は、公知の構成が採用される。二次空気供給機構は、エアポンプによって強制的に排気経路に空気を供給する構成であってもよい。また、二次空気供給機構は、排気経路の負圧によって空気を排気経路に引き込む構成であってもよい。この場合、二次空気供給機構は、排ガスによる圧力脈動に応じて開閉するリード弁を備える。二次空気供給機構を設ける場合、上流酸素検出部材の配置位置は、空気が流入する位置よりも上流に設けても下流に設けてもよい。
【０２８１】
上記実施形態１〜４において、燃焼室２９、７０、１０６、１４４に燃料を供給するために、インジェクタが用いられている。燃焼室に燃料を供給する燃料供給装置は、インジェクタに限らない。例えば、負圧により燃焼室に燃料を供給する燃料供給装置を設けてもよい。
【０２８２】
上記実施形態１〜４において、１つの燃焼室２９、７０、１０６、１４４に対して、排気ポート３１ａ、７２ａ、１０８ａ、１４６ａは１つだけ設けられている。しかし、１つの燃焼室に対して複数の排気ポートが設けられていてもよい。例えば、可変バルブ機構を備える場合がこの変形例に該当する。ただし、複数の排気ポートから延びる排気経路は、メイン触媒よりも上流で集合する。複数の排気ポートから延びる排気経路は、シリンダ部において集合することが好ましい。
【０２８３】
本発明の燃焼室は、主燃焼室と、主燃焼室につながる副燃焼室とを有する構成であってもよい。この場合、主燃焼室と副燃焼室とによって、１つの燃焼室が形成される。
【０２８４】
上記実施形態１〜４において、燃焼室２９、７０、１０６、１４４は、全体が、クランク軸線Ｃｒ１、Ｃｒ２、Ｃｒ３、Ｃｒ４より前方に位置している。しかし、本発明の燃焼室は、少なくとも一部が、クランク軸線より前方に位置していればよい。つまり、燃焼室の一部が、クランク軸線より後方に位置していてもよい。この変形例は、シリンダ軸線が上下方向に延びる場合に実現可能である。
【０２８５】
上記実施形態１〜４において、クランクケース本体２３、６４、１００、１３８と、シリンダボディ２４、６５、１０１、１３９とは、別体である。しかし、クランクケース本体とシリンダボディとは、一体成形されていてもよい。また、上記実施形態１〜４において、シリンダボディ２４、６５、１０１、１３９と、シリンダヘッド２５、６６、１０２、１４０と、ヘッドカバー２６、６７、１０３、１４１とは、別体である。しかし、シリンダボディと、シリンダヘッドと、ヘッドカバーのいずれか２つまたは３つが一体成形されていてもよい。
【０２８６】
上記実施形態１〜４では、単気筒４ストロークエンジンユニットを備えたビークルとして、自動二輪車を例示した。しかし、本発明のビークルは、単気筒４ストロークエンジンユニットの動力で移動するビークルであれば、どのようなビークルであってもよい。本発明のビークルは、自動二輪車以外の鞍乗型車両であってもよい。鞍乗型車両とは、乗員が鞍にまたがるような状態で乗車する車両全般を指す。鞍乗型車両には、自動二輪車、三輪車、四輪バギー（ＡＴＶ：All Terrain Vehicle（全地形型車両））、水上バイク、スノーモービル等が含まれる。本発明のビークルは、鞍乗型車両でなくてもよい。また、本発明のビークルは、運転者が乗車しないものであってもよい。また、本発明のビークルは、人を乗せずに走行可能なものであってもよい。これらの場合、ビークルの前方向とは、ビークルの前進方向のことである。
【０２８７】
上記実施形態３、４の単気筒４ストロークエンジンユニット９３、１３２は、ユニットスイングタイプである。エンジン本体９４、１３３は車体フレーム８１、１２１に対して揺動可能に設置されている。そのため、走行状況によって、メイン触媒１１６、１５４に対するクランク軸線Ｃｒ３、Ｃｒ４の位置は変化する。本明細書および本発明において、メイン触媒がクランク軸線の前方に位置するとは、エンジン本体が可動範囲内のいずれかの位置のときにメイン触媒がクランク軸の前方に位置することをいう。これ以外の位置関係についても、エンジン本体の可動範囲内のいずれかにおいて実現すればよい。
【０２８８】
本明細書および本発明において、メイン触媒の上流端とは、メイン触媒において燃焼室からの経路長が最も短くなる端を意味する。メイン触媒の下流端とは、メイン触媒において燃焼室からの経路長が最も長くなる端を意味する。メイン触媒以外の要素の上流端および下流端についても同様の定義が適用される。
【０２８９】
本明細書および本発明において、通路部とは、経路を囲んで経路を形成する壁体等を意味し、経路とは対象が通過する空間を意味する。排気通路部とは、排気経路を囲んで排気経路を形成する壁体等を意味する。なお、排気経路とは、排気が通過する空間を意味する。
【０２９０】
本明細書および本発明において、排気経路の経路長とは、排気経路の真ん中のラインの経路長を言う。また、消音器の膨張室の経路長は、膨張室の流入口の真ん中から膨張室の流出口の真ん中を最短で結んだ経路の長さを意味する。
【０２９１】
本明細書において、経路方向とは、排気経路の真ん中を通る経路の方向で、且つ、排ガスが流れる方向を意味する。
【０２９２】
本明細書において、通路部の経路方向に直交する断面の面積という表現が用いられている。また、本明細書および本発明において、通路部の排ガスの流れる方向に直交する断面の面積という表現が用いられている。ここでの通路部の断面の面積は、通路部の内周面の面積であってもよく、通路部の外周面の面積であってもよい。
【０２９３】
また、本明細書および本発明において、部材または直線がＡ方向に延びるとは、部材または直線がＡ方向と平行に配置されている場合だけを示すのではない。部材または直線がＡ方向に延びるとは、部材または直線が、Ａ方向に対して±４５°の範囲で傾斜している場合を含む。なお、Ａ方向は、特定の方向を指すものではない。Ａ方向を、水平方向や前後方向に置き換えることができる。
【０２９４】
本明細書のクランクケース本体２３、６４、１００、１３８は、本願の基礎出願の明細書中のクランクケース部１８、６１、９５、１３５にそれぞれ相当する。本明細書のシリンダボディ２４、６５、１０１、１３９は、上述の基礎出願の明細書中のシリンダ部２４、６２、９６、１３６にそれぞれ相当する。本明細書のエンジン本体２０、６１、９４、１３３は、上述の基礎出願の明細書中のエンジン２０、６０、９３、１３１にそれぞれ相当する。本明細書のシリンダ排気通路部３１は、上述の基礎出願の明細書中の排ガスの通路Ｐ２を形成する通路部に相当する。
【０２９５】
本発明は、本明細書の開示に基づいて当業者によって認識され得る、均等な要素、修正、削除、組み合わせ（例えば、各種実施形態に跨る特徴の組み合わせ）、改良および／または変更を含むあらゆる実施形態をも包含する。クレームの限定事項はそのクレームで用いられた用語に基づいて広く解釈されるべきである。クレームの限定事項は、本明細書あるいは本願のプロセキューション中に記載された実施形態に限定されるべきではない。そのような実施形態は非排他的であると解釈されるべきである。例えば、本明細書において、「好ましくは」や「よい」という用語は非排他的なものであって、「好ましいがこれに限定されるものではない」や「よいがこれに限定されるものではない」ということを意味するものである。
【符号の説明】
【０２９６】
１、５０、８０、１２０  自動二輪車（ビークル）
２、５３、８１、１２１  車体フレーム
１９、６０、９３、１３２  単気筒４ストロークエンジンユニット
２０、６１、９４、１３３  エンジン本体
２１、６２、９８、１３６  クランクケース部
２２、６３、９９、１３７  シリンダ部
２４ａ、６５ａ、１０１ａ、１３９ａ  シリンダ孔
２７、６８、１０４、１４２  クランク軸
２８、６９、１０５、１４３  ピストン
２９、７０、１０６、１４４  燃焼室
３１、７２、１０８、１４６  シリンダ排気通路部（単一燃焼室用シリンダ排気通路部）
３４、７５、１１１、１４９、２３４、３７５、５３４  排気管
３５、７６、１１２、１５０  消音器
３５ｅ、７６ｅ、１１２ｅ、１５０ｅ  放出口
３６、７７、１１３、１５１  排気通路部（単一燃焼室用排気通路部）
３７、７８、１１４、１５２  上流酸素検出部材（単一燃焼室用上流酸素検出部材）
３８、７９、１１５、１５３  触媒ユニット
３９、１１６、１５４、１８０  メイン触媒（単一燃焼室用メイン触媒）
４０ａ、１１７ａ、１５５ａ、１８１ａ  上流通路部
４０ｂ、１１７ｂ、１５５ｂ、１８１ｂ  触媒配置通路部
４０ｃ、１１７ｃ、１５５ｃ、１８１ｃ  下流通路部
４１、１１８、１５６、１８２  排気経路
２００  上流サブ触媒（単一燃焼室用上流サブ触媒）
４００  下流サブ触媒（単一燃焼室用下流サブ触媒）
４３７  下流酸素検出部材（単一燃焼室用下流酸素検出部材）
５００  二重管
５０１  内管
５０２  外管
６００  触媒プロテクター
Ｃｒ１、Ｃｒ２、Ｃｒ３、Ｃｒ４  クランク軸線（クランク軸の中心線）
Ｃｙ１、Ｃｙ２、Ｃｙ３、Ｃｙ４  シリンダ軸線（シリンダ孔の中心線）
Ｌ２、Ｌ４、Ｌ６、Ｌ８  クランク軸線とシリンダ軸線に直交する直線
【図１】
2016002960.tif 000003
【図２】
2016002960.tif 000004
【図３】
2016002960.tif 000005
【図４】
2016002960.tif 000006
【図５】
2016002960.tif 000007
【図６】
2016002960.tif 000008
【図７】
2016002960.tif 000009
【図８】
2016002960.tif 000010
【図９】
2016002960.tif 000011
【図１０】
2016002960.tif 000012
【図１１】
2016002960.tif 000013
【図１２】
2016002960.tif 000014
【図１３】
2016002960.tif 000015
【図１４】
2016002960.tif 000016
【図１５】
2016002960.tif 000017
【図１６】
2016002960.tif 000018
【図１７】
2016002960.tif 000019
【図１８】
2016002960.tif 000020
【図１９】
2016002960.tif 000021
【図２０】
2016002960.tif 000022
【図２１】
2016002960.tif 000023
【図２２】
2016002960.tif 000024
【図２３】
2016002960.tif 000025
【図２４】
2016002960.tif 000026
【図２５】
2016002960.tif 000027
【図２６】
2016002960.tif 000028
【手続補正書】
【提出日】平成28年12月21日(2016.12.21)
【手続補正１】
【補正対象書類名】明細書
【補正対象項目名】００１６
【補正方法】変更
【補正の内容】
【００１６】
燃焼室の少なくとも一部は、クランク軸の中心線より前方に位置する。そのため、シリンダ孔の中心線は、クランク軸から上方、前上方、前方のいずれかの方向に延びる。ここで、シリンダ孔の中心線に直交し且つクランク軸の中心線に直交する直線を、仮に直線Ｌとする。直線Ｌは、クランク軸から前方、前下方、下方のいずれかの方向に延びる。左右方向から見て、単一燃焼室用メイン触媒の少なくとも一部は、直線Ｌの前方に位置する。したがって、単一燃焼室用メイン触媒は、燃焼室により近い位置に配置される。そのため、排気経路の燃焼室により近い位置で、未燃燃料の酸化を促進させることができる。それにより、単一燃焼室用上流酸素検出部材は、より酸化が進んだ状態の排ガスを検出対象とすることができる。言い換えると、単一燃焼室用上流酸素検出部材は、酸素濃度がより安定した排ガスを検出対象とすることができる。したがって、排ガス中の酸素濃度をより一層安定的に検出することができる。
【手続補正２】
【補正対象書類名】明細書
【補正対象項目名】００１８
【補正方法】変更
【補正の内容】
【００１８】
この構成によると、シリンダ孔の中心線は、上下方向に延びている。また、左右方向から見て、単一燃焼室用メイン触媒の少なくとも一部は、シリンダ孔の中心線の前方に位置する。したがって、単一燃焼室用メイン触媒を、燃焼室により近い位置に配置することができる。そのため、排気経路の燃焼室に近い位置で、未燃燃料の酸化を促進させることができる。それにより、単一燃焼室用上流酸素検出部材は、酸化が進んだ状態の排ガスを検出対象とすることができる。言い換えると、単一燃焼室用上流酸素検出部材は、酸素濃度が安定した排ガスを検出対象とすることができる。したがって、排ガス中の酸素濃度をより安定的に検出することができる。
【国際調査報告】
2016002960.tif 000029
2016002960.tif 000030